(57)【要約】  本発明はブラインド検出方式の確認方法、ブラインド検出方法および装置を開示した。当該ブラインド検出方式の確認方法は、基地局がシステム設定情報と端末のブラインド検出能力に基づき、端末のサブフレームにおける拡張Ｅ−ＰＤＣＣＨブラインド検出方式を確認するステップと、確認した端末の当該サブフレームにおけるＥ−ＰＤＣＣＨブラインド検出方式を端末へ通知するステップとを備える。当該ブラインド検出方法は、端末がサブフレームにおけるＥ−ＰＤＣＣＨブラインド検出方式を確認するステップと、サブフレームにおいて確認したＥ−ＰＤＣＣＨブラインド検出方式に基づき、Ｅ−ＰＤＣＣＨブラインド検出を行うステップとを備える。システム設定情報のサブフレームにおいて占有するリソースに基づき、ＵＥの当該サブフレームにおけるＥ−ＰＤＣＣＨブラインド検出方式を確認することにより、ＵＥを当該サブフレームにおいてＥ−ＰＤＣＣＨブラインド検出時に確認したＥ−ＰＤＣＣＨブラインド検出方式に基づき実行させ、必要のないエネルギーのオーバーヘッドを回避する。【選択図】図２
2015526974.tif 000002
【特許請求の範囲】
【請求項１】
基地局がシステム設定情報と端末のブラインド検出能力に基づき、端末のサブフレームにおける拡張物理ダウンリンク制御チャネル（Ｅ−ＰＤＣＣＨ）ブラインド検出方式を確認するステップと、
前記基地局が確認した端末の前記サブフレームにおけるＥ−ＰＤＣＣＨブラインド検出方式を前記端末へ通知するステップと、
を備えることを特徴とするブラインド検出方式の確認方法。
【請求項２】
基地局がシステム設定情報と端末のブラインド検出能力に基づき、端末のサブフレームにおけるＥ−ＰＤＣＣＨブラインド検出方式を確認することは、
前記基地局が前記システム設定情報と前記端末のブラインド検出能力に基づき、前記端末が前記サブフレームにおいてＥ−ＰＤＣＣＨブラインド検出しなければならない拡張制御チャネル要素（Ｅ−ＣＣＥ）アグリゲーションレベル集合を確認するステップと、
前記基地局が前記Ｅ−ＣＣＥアグリゲーションレベル集合において各Ｅ−ＣＣＥアグリゲーションレベルに対応するブラインド検出回数を確認することを特徴とする請求項１に記載のブラインド検出方式の確認方法。
【請求項３】
前記基地局が前記システム設定情報と前記端末のブラインド検出能力に基づき、前記端末が前記サブフレームにおいてＥ−ＰＤＣＣＨブラインド検出しなければならないＥ−ＣＣＥアグリゲーションレベル集合を確認することは、
前記基地局が、各Ｅ−ＣＣＥアグリゲーションレベルが提供できるＥ−ＰＤＣＣＨを伝送するリソース要素（ＲＥ）個数とデフォルトのＲＥ個数のしきい値を比較した結果および前記端末のブラインド検出能力に基づき、前記端末が前記サブフレームにおいてＥ−ＰＤＣＣＨブラインド検出しなければならないＥ−ＣＣＥアグリゲーションレベル集合を確認することを特徴とする請求項２に記載のブラインド検出方式の確認方法。
【請求項４】
前記基地局が各Ｅ−ＣＣＥアグリゲーションレベルが提供できるＥ−ＰＤＣＣＨを伝送するＲＥ個数とデフォルトのＲＥ個数のしきい値を比較した結果および前記端末のブラインド検出能力に基づき、前記端末が前記サブフレームにおいてＥ−ＰＤＣＣＨブラインド検出しなければならないＥ−ＣＣＥアグリゲーションレベル集合を確認することは、
前記基地局が、前記システム設定情報の前記サブフレームにおいて占有するリソースに基づき、物理リソースブロックペア（ＰＲＢ  ｐａｉｒ）においてＥ−ＰＤＣＣＨを伝送できるリソース要素（ＲＥ）個数を確認し、
前記基地局が、ＰＲＢ  ｐａｉｒにおいて区分したＥ−ＣＣＥ個数に基づき、Ｅ−ＣＣＥに備えるＥ−ＰＤＣＣＨを伝送できるＲＥ個数の平均値を確認し、
前記基地局が、前記ＲＥ個数の平均値に基づき、Ｅ−ＣＣＥアグリゲーションレベルＭ’が提供できるＥ−ＰＤＣＣＨを伝送するＲＥ個数Ｘを確認し、
前記基地局がＸとデフォルトのＲＥ個数のしきい値を比較し、
前記基地局が、各Ｅ−ＣＣＥアグリゲーションレベルが提供できるＥ−ＰＤＣＣＨを伝送するＲＥ個数と前記ＲＥ個数のしきい値を比較した結果および前記端末のブラインド検出能力に基づき、前記端末が前記サブフレームにおいてＥ−ＰＤＣＣＨブラインド検出しなければならないＥ−ＣＣＥアグリゲーションレベル集合を確認することを特徴とする請求項３に記載のブラインド検出方式の確認方法。
【請求項５】
前記デフォルトのＲＥ個数のしきい値は、ロング・ターム・エボリューション（ＬＴＥ）システムプロトコルにおいて定義したＰＤＣＣＨ領域におけるＣＣＥが占有するＲＥ個数であることを特徴とする請求項４に記載のブラインド検出方式の確認方法。
【請求項６】
前記基地局が確認した端末の前記サブフレームにおけるＥ−ＰＤＣＣＨブラインド検出方式を前記端末へ通知することは、
前記基地局が、前記端末の所定の時間周期内での各サブフレームにおけるＥ−ＰＤＣＣＨブラインド検出方式を前記端末へ通知することを特徴とする請求項１ないし請求項５のいずれか１項に記載のブラインド検出方式の確認方法。
【請求項７】
前記基地局が前記端末の所定の時間周期内での各サブフレームにおけるＥ−ＰＤＣＣＨブラインド検出方式を前記端末へ通知することは、
前記基地局が、所定の規則に従い前記所定の時間周期内でのサブフレームグループ分けを行い、前記端末の各グループサブフレームにおけるＥ−ＰＤＣＣＨブラインド検出方式が同じであり、
前記基地局が、前記端末の各グループサブフレームにおけるＥ−ＰＤＣＣＨブラインド検出方式を前記端末へ通知することを特徴とする請求項６に記載のブラインド検出方式の確認方法。
【請求項８】
前記基地局が所定の規則に従い前記所定の時間周期内でのサブフレームグループ分けを行うことは、
前記基地局が所定の規則に従い、前記所定の時間周期内でのサブフレームを２グループに分け、１グループをノーマル・サブフレームとし、一方のグループをダウンリンクパイロット・タイムスロットＤｗＰＴＳとすることを特徴とする請求項７に記載のブラインド検出方式の確認方法。
【請求項９】
端末がサブフレームにおけるシステム設定情報と前記端末のブラインド検出能力に基づき、Ｅ−ＰＤＣＣＨブラインド検出方式を確認するステップと、
前記端末が前記サブフレームにおいて確認したＥ−ＰＤＣＣＨブラインド検出方式に基づき、Ｅ−ＰＤＣＣＨブラインド検出を行うステップと、
を備えることを特徴とするブラインド検出方法。
【請求項１０】
端末がサブフレームにおけるＥ−ＰＤＣＣＨブラインド検出方式を確認することは、
前記端末が、システム設定情報とブラインド検出能力に基づき、前記サブフレームにおけるＥ−ＰＤＣＣＨブラインド検出方式を確認するか、
または、
前記端末が、基地局の通知に基づき、前記サブフレームにおけるＥ−ＰＤＣＣＨブラインド検出方式を確認することを特徴とする請求項９に記載のブラインド検出方法。
【請求項１１】
前記端末がシステム設定情報とブラインド検出能力に基づき、前記サブフレームにおけるＥ−ＰＤＣＣＨブラインド検出方式を確認することは、
前記端末が、前記システム設定情報とブラインド検出能力に基づき、前記サブフレームにおいてＥ−ＰＤＣＣＨブラインド検出しなければならないＥ−ＣＣＥアグリゲーションレベル集合を確認し、
前記端末が、前記Ｅ−ＣＣＥアグリゲーションレベル集合において各Ｅ−ＣＣＥアグリゲーションレベルに対応するブラインド検出回数を確認することを特徴とする請求項１０に記載のブラインド検出方法。
【請求項１２】
前記端末が前記システム設定情報とブラインド検出能力に基づき、前記サブフレームにおいてＥ−ＰＤＣＣＨブラインド検出しなければならないＥ−ＣＣＥアグリゲーションレベル集合を確認することは、
前記端末が、各Ｅ−ＣＣＥアグリゲーションレベルが提供できるＥ−ＰＤＣＣＨを伝送するリソース要素（ＲＥ）個数とデフォルトのＲＥ個数のしきい値を比較した結果および前記端末のブラインド検出能力に基づき、前記サブフレームにおいてＥ−ＰＤＣＣＨブラインド検出しなければならないＥ−ＣＣＥアグリゲーションレベル集合を確認することを特徴とする請求項１１に記載のブラインド検出方法。
【請求項１３】
前記端末が各Ｅ−ＣＣＥアグリゲーションレベルが提供できるＥ−ＰＤＣＣＨを伝送するリソース要素（ＲＥ）個数とデフォルトのＲＥ個数のしきい値を比較した結果および前記端末のブラインド検出能力に基づき、前記サブフレームにおいてＥ−ＰＤＣＣＨブラインド検出しなければならないＥ−ＣＣＥアグリゲーションレベル集合を確認することは、
前記端末が、前記システム設定情報の前記サブフレームにおいて占有するリソースに基づき，ＰＲＢ  ｐａｉｒにおいてＥ−ＰＤＣＣＨを伝送できるＲＥ個数を確認し、
前記端末が、ＰＲＢ  ｐａｉｒにおいて区分したＥ−ＣＣＥ個数に基づき、Ｅ−ＣＣＥに備えるＥ−ＰＤＣＣＨを伝送できるＲＥ個数の平均値を確認し、
前記端末が、前記ＲＥ個数の平均値に基づき、Ｅ−ＣＣＥアグリゲーションレベルＭ’が提供できるＥ−ＰＤＣＣＨを伝送するＲＥ個数Ｘを確認し、
前記端末が、ＸとデフォルトのＲＥ個数のしきい値を比較し、
前記端末が、各Ｅ−ＣＣＥアグリゲーションレベルが提供できるＥ−ＰＤＣＣＨを伝送するＲＥ個数と前記ＲＥ個数のしきい値を比較した結果および前記端末のブラインド検出能力に基づき、前記サブフレームにおいてＥ−ＰＤＣＣＨブラインド検出しなければならないＥ−ＣＣＥアグリゲーションレベル集合を確認することを特徴とする請求項１２に記載のブラインド検出方法。
【請求項１４】
前記デフォルトのＲＥ個数のしきい値は、ＬＴＥシステムプロトコルにおいて定義したＰＤＣＣＨ領域におけるＣＣＥが占有するＲＥ個数であることを特徴とする請求項１３に記載のブラインド検出方法。
【請求項１５】
前記端末が基地局の通知に基づき、前記サブフレームにおけるＥ−ＰＤＣＣＨブラインド検出方式を確認することは、
前記端末が、基地局の通知に基づき、所定の時間周期内での各サブフレームにおけるＥ−ＰＤＣＣＨブラインド検出方式を確認するを含むことを特徴とする請求項１０ないし請求項１４のいずれかに記載のブラインド検出方法。
【請求項１６】
前記端末が基地局の通知に基づき、所定の時間周期内での各サブフレームにおけるＥ−ＰＤＣＣＨブラインド検出方式を確認することは、
前記端末の所定の規則に従い、前記所定の時間周期内でのサブフレームを２グループに分け、１グループをノーマル・サブフレームとし、一方のグループをダウンリンクパイロット・タイムスロットＤｗＰＴＳとし、
前記端末が、基地局の通知に基づき、各グループサブフレームにおけるＥ−ＰＤＣＣＨブラインド検出方式を確認することを特徴とする請求項１５に記載のブラインド検出方法。
【請求項１７】
システム設定情報と端末のブラインド検出能力に基づき、端末のサブフレームにおけるＥ−ＰＤＣＣＨブラインド検出方式を確認する、ブラインド検出方式確認モジュールと、
確認した端末の前記サブフレームにおけるＥ−ＰＤＣＣＨブラインド検出方式を前記端末へ通知する、ブラインド検出方式通知モジュールと、
を備えることを特徴とする基地局。
【請求項１８】
前記ブラインド検出方式確認モジュールは、
前記システム設定情報と前記端末のブラインド検出能力に基づき、前記端末が前記サブフレームにおいてＥ−ＰＤＣＣＨブラインド検出しなければならないＥ−ＣＣＥアグリゲーションレベル集合を確認する、ブラインド検出アグリゲーションレベル集合確認サブモジュールと、
前記Ｅ−ＣＣＥアグリゲーションレベル集合において各Ｅ−ＣＣＥアグリゲーションレベルに対応するブラインド検出回数を確認する、ブラインド検出回数確認サブモジュールと、
を備えることを特徴とする請求項１７に記載の基地局。
【請求項１９】
前記ブラインド検出アグリゲーションレベル集合確認サブモジュールは、
各Ｅ−ＣＣＥアグリゲーションレベルが提供できるＥ−ＰＤＣＣＨを伝送するリソース要素（ＲＥ）個数とデフォルトのＲＥ個数のしきい値を比較した結果および前記端末のブラインド検出能力に基づき，前記端末が前記サブフレームにおいてＥ−ＰＤＣＣＨブラインド検出しなければならないＥ−ＣＣＥアグリゲーションレベル集合を確認することを特徴とする請求項１８に記載の基地局。
【請求項２０】
前記ブラインド検出アグリゲーションレベル集合確認サブモジュールは、
前記システム設定情報の前記サブフレームにおいて占有するリソースに基づき、ＰＲＢ  ｐａｉｒにおいてＥ−ＰＤＣＣＨを伝送できるＲＥ個数を確認し、
ＰＲＢ  ｐａｉｒにおいて区分したＥ−ＣＣＥ個数に基づき、Ｅ−ＣＣＥに備えるＥ−ＰＤＣＣＨを伝送できるＲＥ個数の平均値を確認し、
前記ＲＥ個数の平均値に基づき、Ｅ−ＣＣＥアグリゲーションレベルＭ’が提供できるＥ−ＰＤＣＣＨを伝送するＲＥ個数Ｘを確認し、
ＸとデフォルトのＲＥ個数のしきい値を比較し、
各Ｅ−ＣＣＥアグリゲーションレベルが提供できるＥ−ＰＤＣＣＨを伝送するＲＥ個数と前記ＲＥ個数のしきい値を比較した結果および前記端末のブラインド検出能力に基づき、前記端末が前記サブフレームにおいてＥ−ＰＤＣＣＨブラインド検出しなければならないＥ−ＣＣＥアグリゲーションレベル集合を確認することを特徴とする請求項１９に記載の基地局。
【請求項２１】
前記デフォルトのＲＥ個数のしきい値は、ＬＴＥシステムプロトコル定義したＰＤＣＣＨ領域におけるＣＣＥが占有するＲＥ個数であることを特徴とする請求項２０に記載の基地局。
【請求項２２】
前記ブラインド検出方式通知モジュールは、
前記端末の所定の時間周期内での各サブフレームにおけるＥ−ＰＤＣＣＨブラインド検出方式を前記端末へ通知することを特徴とする請求項１７ないし請求項２１のいずれか１項に記載の基地局。
【請求項２３】
前記ブラインド検出方式通知モジュールは、
所定の規則に従い前記所定の時間周期内でのサブフレームグループ分けを行い、前記端末の各グループサブフレームにおけるＥ−ＰＤＣＣＨブラインド検出方式は同じであり、
前記端末の各グループサブフレームにおけるＥ−ＰＤＣＣＨブラインド検出方式を前記端末へ通知することを特徴とする請求項２２に記載の基地局。
【請求項２４】
所定の規則に従い前記所定の時間周期内でのサブフレームグループ分けを行う時、前記ブラインド検出方式通知モジュールは、
所定の規則に従い、前記所定の時間周期内でのサブフレームを２グループに分け、１グループをノーマル・サブフレームとし、一方のグループをダウンリンクパイロット・タイムスロットＤｗＰＴＳとすることを特徴とする請求項２３に記載の基地局。
【請求項２５】
システム設定情報と端末のブラインド検出能力に基づき、端末のサブフレームにおけるＥ−ＰＤＣＣＨブラインド検出方式を確認する、ブラインド検出方式確認モジュールと、
確認した端末の前記サブフレームにおけるＥ−ＰＤＣＣＨブラインド検出方式を前記端末へ通知する、ブラインド検出方式通知モジュールと、
を備えることを特徴とする端末。
【請求項２６】
前記ブラインド検出方式確認モジュールは、
システム設定情報とブラインド検出能力に基づき、前記サブフレームにおけるＥ−ＰＤＣＣＨブラインド検出方式を確認するか、
または、
基地局の通知に基づき、前記サブフレームにおけるＥ−ＰＤＣＣＨブラインド検出方式を確認することを特徴とする請求項２５に記載の端末。
【請求項２７】
もし、システム設定情報とブラインド検出能力に基づき、前記サブフレームにおけるＥ−ＰＤＣＣＨブラインド検出方式を確認する場合、前記ブラインド検出方式確認モジュールは、
前記システム設定情報とブラインド検出能力に基づき，前記サブフレームにおいてＥ−ＰＤＣＣＨブラインド検出しなければならないＥ−ＣＣＥアグリゲーションレベル集合を確認するブラインド検出アグリゲーションレベル集合確認サブモジュールと、
前記Ｅ−ＣＣＥアグリゲーションレベル集合において各Ｅ−ＣＣＥアグリゲーションレベルに対応するブラインド検出回数を確認するブラインド検出回数確認サブモジュールと、
を備えることを特徴とする請求項２６に記載の端末。
【請求項２８】
ブラインド検出アグリゲーションレベル集合確認サブモジュールは、
各Ｅ−ＣＣＥアグリゲーションレベルが提供できるＥ−ＰＤＣＣＨを伝送するリソース要素（ＲＥ）個数とデフォルトのＲＥ個数のしきい値を比較した結果および前記端末のブラインド検出能力に基づき、前記端末が前記サブフレームにおいてＥ−ＰＤＣＣＨブラインド検出しなければならないＥ−ＣＣＥアグリゲーションレベル集合を確認することを特徴とする請求項２７に記載の端末。
【請求項２９】
ブラインド検出アグリゲーションレベル集合確認サブモジュールは、
前記システム設定情報の前記サブフレームにおいて占有するリソースに基づき，ＰＲＢ  ｐａｉｒにおいてＥ−ＰＤＣＣＨを伝送できるＲＥ個数を確認し、
ＰＲＢ  ｐａｉｒにおいて区分したＥ−ＣＣＥ個数に基づき、Ｅ−ＣＣＥに備えるＥ−ＰＤＣＣＨを伝送できるＲＥ個数の平均値を確認し、
前記ＲＥ個数の平均値に基づき、Ｅ−ＣＣＥアグリゲーションレベルＭ’が提供できるＥ−ＰＤＣＣＨを伝送するＲＥ個数Ｘを確認し、
ＸとデフォルトのＲＥ個数のしきい値を比較し、
各Ｅ−ＣＣＥアグリゲーションレベルが提供できるＥ−ＰＤＣＣＨを伝送するＲＥ個数と前記ＲＥ個数のしきい値を比較した結果および前記端末のブラインド検出能力に基づき、前記端末が前記サブフレームにおいてＥ−ＰＤＣＣＨブラインド検出しなければならないＥ−ＣＣＥアグリゲーションレベル集合を確認することを特徴とする請求項２８に記載の端末。
【請求項３０】
前記デフォルトのＲＥ個数のしきい値は、ＬＴＥシステムプロトコル定義したＰＤＣＣＨ領域におけるＣＣＥが占有するＲＥ個数であることを特徴とする請求項３１に記載の端末。
【請求項３１】
もし、基地局の通知に基づき、前記サブフレームにおけるＥ−ＰＤＣＣＨブラインド検出方式を確認すれば、前記ブラインド検出方式確認モジュールは、
基地局の通知に基づき、所定の時間周期内での各サブフレームにおけるＥ−ＰＤＣＣＨブラインド検出方式を確認することを特徴とする請求項２６ないし請求項３０のいずれかに記載の端末。
【請求項３２】
前記ブラインド検出方式確認モジュールは、具体的に、
所定の規則に従い、前記所定の時間周期内でのサブフレームを２グループに分け、１グループをノーマル・サブフレームとし、一方のグループをダウンリンクパイロット・タイムスロットＤｗＰＴＳとすることと、
基地局の通知に基づき、各グループサブフレームにおけるＥ−ＰＤＣＣＨブラインド検出方式を確認ことと、
に用いることを特徴とする請求項３１に記載の端末。
【発明の詳細な説明】
【技術分野】
【０００１】
本発明は通信技術分野に関し、特にブラインド検出方式の確認方法、ブラインド検出方法および装置に関する。
【背景技術】
【０００２】
本出願は、２０１２年０７月１２日中国特許局に提出し、出願番号が２０１２１０２４２３７８．３であり、発明名称が「ブラインド検出方式の確認方法、ブラインド検出方法および装置」である中国特許出願を基礎とする優先権を主張し、その開示の総てをここに取り込む。
ロング・ターム・エボリューション（Ｌｏｎｇ  Ｔｅｒｍ  Ｅｖｏｌｕｔｉｏｎ，ＬＴＥ）バージョン８／９／１０（  Ｒｅｌ−８／９／１０）システムにおいて、各無線サブフレームにおける先頭のＮ個直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ，ＯＦＤＭ）シンボルは、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ，ＰＤＣＣＨ）の伝送に用いる。ここで、Ｎの値は１、２、３、４となる可能性があるが、Ｎ＝４はシステム帯域幅が１．４ＭＨｚであるシステムにおいてのみ発生することができる。無線サブフレームにおける先頭のＮ個ＯＦＤＭシンボルは「レガシーＰＤＣＣＨの領域」でもある。
【０００３】
ＬＴＥ  Ｒｅｌ−８／９／１０システムにおいて、レガシーＰＤＣＣＨの領域はロジックによりに区分された制御チャネル要素（Ｃｏｎｔｒｏｌ  Ｃｈａｎｎｅｌ  Ｅｌｅｍｅｎｔ，ＣＣＥ）から構成される。ＣＣＥは、９リソース要素グループ（ＲＥｏｕｒｃｅ  Ｅｌｅｍｅｎｔ  Ｇｒｏｕｐ，ＲＥＧ）グループから構成される。ここで、ＣＣＥからＲＥＧまでのマッピングは、ＲＥＧインターリービングに基づく方法により全帯域幅範囲内にマッピングする。ＲＥＧは時間領域にて同じであり、周波数領域にて隣接する４リソース要素（ＲＥｏｕｒｃｅ  Ｅｌｅｍｅｎｔ，ＲＥ）から構成される。ここで、ＲＥＧを構成するＲＥは共通基準シンボルを伝送するＲＥを含まない。
【０００４】
ダウンリンク制御情報（Ｄｏｗｎｌｉｎｋ  Ｃｏｎｔｒｏｌ  Ｉｎｆｏｒｍａｔｉｏｎ，ＤＣＩ）の伝送はＣＣＥを単位とする。ユーザー設備（Ｕｓｅｒ  Ｅｑｕｉｐｍｅｎｔ，ＵＥ、端末でもよい）に対するＤＣＩは、Ｍ個ロジックでの連続的なＣＣＥにおいて送信することができる。ＬＴＥシステムにおいて、Ｍの値は１、２、４、８となる可能性があり、ＣＣＥアグリゲーションレベル（Ａｇｇｒｅｇａｔｉｏｎ  Ｌｅｖｅｌ）である。ＵＥはレガシーＰＤＣＣＨの領域にてＰＤＣＣＨブラインド検出を行い、これに向けて送信したＰＤＣＣＨが存在するか否かを検索する。いわゆるブラインド検出とは、即ち当該ＵＥの無線網臨時識別子（Ｒａｄｉｏ  Ｎｅｔｗｏｒｋ  Ｔｅｍｐｏｒａｒｙ  Ｉｄｅｎｔｉｆｉｅｒ，ＲＮＴＩ）を用いて、異なるＤＣＩフォーマットとＣＣＥアグリゲーションレベルに対して復号を試みることである。もし復号が正確であれば、当該ＵＥに向けたＤＣＩを受信する。ＵＥは非ＤＲＸ（Ｄｉｓｃｏｎｔｉｎｕｏｕｓ  Ｒｅｃｅｐｔｉｏｎ，非連続受信）状態における各ダウンリンクサブフレームのレガシーＰＤＣＣＨの領域に対してブラインド検出を行い、ＰＤＣＣＨを検索する。
【０００５】
ロング・ターム・エボリューション・アドバンスト（ＬＴＥ−Ａｄｖａｎｃｅｄ，ＬＴＥ−Ａ）システムの性能を高めるため、ＰＤＣＣＨ容量を拡大し、Ｒｅｌ−１１において拡張物理ダウンリンク制御チャネル（Ｅｎｈａｎｃｅｄ−ＰＤＣＣＨ，Ｅ−ＰＤＣＣＨ）を導入する。Ｅ−ＰＤＣＣＨの伝送は、従来の物理ダウンリンク共用チャネル（Ｐｈｙｓｉｃａｌ  Ｄｏｗｎｌｉｎｋ  Ｓｈａｒｅｄ  Ｃｈａｎｎｅｌ，ＰＤＳＣＨ）の領域を占有する。
【０００６】
ＬＴＥ時分割複信（Ｔｉｍｅ  Ｄｉｖｉｓｉｏｎ  Ｄｕｐｌｅｘ，ＴＤＤ）システムにおいて、１０ｍｓ無線フレームは１０個長が１ｍｓであるサブフレームを備える。部分サブフレームの伝送方向は、具体的に表１に示す通り設定することができる。ここで、Ｄはダウンリンクサブフレームを示し、Ｕはアップリンクサブフレームを示し、Ｓは特殊サブフレームを示す。ダウンリンクサブフレーム、アップリンクサブフレームもノーマル・サブフレームである。特殊サブフレーム長は１ｍｓであり、ダウンリンクパイロット・タイムスロット（Ｄｏｗｎｌｉｎｋ  Ｐｉｌｏｔ  Ｔｉｍｅ  Ｓｌｏｔ，ＤｗＰＴＳ）、保護期間（Ｇｕａｒｄ  Ｐｅｒｉｏｄ，ＧＰ）およびアップリンクパイロット・タイムスロット（Ｕｐｌｉｎｋ  Ｐｉｌｏｔ  Ｔｉｍｅ  Ｓｌｏｔ，ＵｐＰＴＳ）の３部分から構成され、この３部分のタイムスロット長は設定することができる。ＬＴＥ  Ｒｅｌ−１において支援する特殊サブフレーム設定は表２に示す通りである。特殊サブフレームにおけるダウンリンク部分ＤｗＰＴＳもＥ−ＰＤＣＣＨの伝送を支援しなければならない。表２に基づきノーマル・サイクリックプレフィックス（ｎｏｒｍａｌ  Ｃｙｃｌｉｃ  Ｐｒｅｆｉｘ，ｎｏｒｍａｌ  ＣＰ）を例とする場合、ＤｗＰＴＳは｛３、６、９、１０、１１、１２｝個ＯＦＤＭシンボルを備え、一方ノーマル・ダウンリンクサブフレームは１４ＯＦＤＭシンボルを備える。よって、ＤｗＰＴＳにおいて、各物理リソースブロック（Ｐｈｙｓｉｃａｌ  Ｒｅｃｏｕｅｓｅ  Ｂｌｏｃｋ，ＰＲＢ）ペア（ｐａｉｒ）が使用可能なＲＥ数はノーマル・サブフレームと比べ大幅に減少する。
【表１】
2015526974.tif 000003
【表２】
2015526974.tif 000004
【０００７】
異なるシーンについて、Ｅ−ＰＤＣＣＨの伝送モードは周波数領域での連続的な伝送（ｌｏｃａｌｉｚｅｄ）と周波数領域での非連続的な伝送（ｄｉｓｔｒｉｂｕｔｅｄ）の２種類に分けることができる。通常、ｌｏｃａｌｉｚｅｄ伝送モードはほとんどが、端末ＵＥがフィードバックした正確なチャネル情報を基地局が獲得でき、サブフレーム変化に応じた隣接セル干渉が極めて甚だしくないシーンに用いる。この時、基地局は端末ＵＥがフィードバックしたＣＳＩに基づき、品質がより高い連続周波数リソースを選択し、当該端末ＵＥへＥ−ＰＤＣＣＨを伝送する。かつ、プリコーディング／成形ビーム処理を行い、伝送性能を高める。チャネル情報を正確に獲得できない、またはサブフレーム変化に応じた隣接セル干渉が甚だしく、予知できない情況において、ｄｉｓｔｒｉｂｕｔｅｄ伝送モード方式により、Ｅ−ＰＤＣＣＨを伝送しなければならない。即ち、周波数での非連続的な周波数リソースを使用し、伝送を行うことにより、周波数ダイバシティゲインを獲得する。Ｅ−ＰＤＣＣＨが伝送するＤＣＩを例とし、図１Ａにｌｏｃａｌｉｚｅｄ伝送モードによるＥ−ＰＤＣＣＨ伝送を示し、図１Ｂにｄｉｓｔｒｉｂｕｔｅｄ伝送モードによるＥ−ＰＤＣＣＨ伝送を示す。ここで、２種類の伝送モードにおいて、Ｅ−ＰＤＣＣＨのＤＣＩ伝送はすべて４ＰＲＢ  ｐａｉｒにおけるリソースを占有する。ｌｏｃａｌｉｚｅｄ伝送モードにおいて、周波数領域での連続的なＰＲＢ  ｐａｉｒ＃ｎ、ＰＲＢ  ｐａｉｒ＃ｎ＋１、ＰＲＢ  ｐａｉｒ＃ｎ＋２およびＰＲＢ  ｐａｉｒ＃ｎ＋３により、Ｅ−ＰＤＣＣＨのＤＣＩを伝送する。ｄｉｓｔｒｉｂｕｔｅｄ伝送モードにおいて、周波数領域での非連続的なＰＲＢ  ｐａｉｒ＃Ａ、ＰＲＢ  ｐａｉｒ＃Ｂ、ＰＲＢ  ｐａｉｒ＃ＣおよびＰＲＢ  ｐａｉｒ＃Ｄにより、Ｅ−ＰＤＣＣＨのＤＣＩを伝送する。
【０００８】
現在のＥ−ＰＤＣＣＨ設計の議論に基づき、Ｅ−ＰＤＣＣＨ設計は以下の２種類の方法に実現可能性がある。
【０００９】
＜方法１＞ＰＲＢ  ｐａｉｒにおけるＲＥを固定個数の拡張制御チャネル要素（Ｅｎｈａｎｃｅｄ−ＣＣＥ，Ｅ−ＣＣＥ）に区分する。ここで、各Ｅ−ＣＣＥに備えるＲＥ数は同じである。ＤＣＩ伝送は、Ｅ−ＣＣＥを単位する物理リソースにおいてＵＥへ送信する。この方法は、主にｌｏｃａｌｉｚｅｄ伝送モードに適用する。
また、各Ｅ−ＣＣＥを固定個数の拡張リソース要素グループ（Ｅｎｈａｎｃｅｄ−ＲＥＧ，Ｅ−ＲＥＧ）に区分する方法も排除しない。
【００１０】
＜方法２＞ＰＲＢ  ｐａｉｒにおけるＲＥリソースを固定個数のＥ−ＲＥＧに区分する。各Ｅ−ＲＥＧに備えるＲＥ個数は同じである。さらに、各Ｋ個Ｅ−ＲＥＧをＥ−ＣＣＥに束ねる。ＤＣＩ伝送は、Ｅ−ＣＣＥを単位する物理リソースにおいてＵＥへ送信する。この方法は、主にｄｉｓｔｒｉｂｕｔｅｄ伝送モードに適用する。
ＵＥを伝送するＤＣＩのＥ−ＣＣＥ個数Ｍ’の値は１、２、４、８、１６、３２となる可能性があり、Ｍ’はＥ−ＣＣＥアグリゲーションレベルである。
【００１１】
前記ＰＲＢ  ｐａｉｒにおけるＲＥはすでにＥ−ＰＤＣＣＨを伝送できるＲＥを備えており、共通基準信号（Ｃｏｍｍｏｎ  ＲＥｏｕｒｃｅ  Ｓｉｇｎａｌ，ＣＲＳ）、復調基準信号（Ｄｅｍｏｄｕｌａｔｉｏｎ  Ｒｅｆｅｒｅｎｃｅ  Ｓｉｇｎａｌ，ＤＭＲＳ）、セル固有基準信号（Ｃｅｌｌ−ｓｐｅｃｉｆｉｃ  ｒｅｆｅｒｅｎｃｅ  ｓｉｇｎａｌｓ−  Ｒｅｆｅｒｅｎｃ  Ｓｉｇｎａｌ，ＣＳＩ−ＲＳ）、ゼロパワーセル固有基準信号（ｚｅｒｏ  ｐｏｗｅｒ  ＣＳＩ−ＲＳ）のような各種タイプの基準信号を備えている可能性がある。さらに、ＴＤＤシステムにおいて特殊サブフレームにおけるＧＰなどを備えている可能性がある。
【００１２】
よって、上述のＥ−ＣＣＥ／Ｅ−ＲＥＧの固定区分方法を用いた後、システムが設定する基準信号ごとに、異なるシステム設定情況、または異なるサブフレームにおいて、各Ｅ−ＰＤＣＣＨを伝送するＥ−ＣＣＥに備える使用可能なＲＥ数は異なる。ひいては差が２倍になることがある。
【発明の概要】
【発明が解決しようとする課題】
【００１３】
従来技術において、ＵＥはブラインド検出能力のもと、常にＥ−ＣＣＥアグリゲーションレベル１、２、４、８においてブラインド検出を行う。しかし、低いＥ−ＣＣＥアグリゲーションレベルではＥ−ＰＤＣＣＨを伝送できない可能性がある。よって、ＵＥがこのようなＥ−ＣＣＥアグリゲーションレベルにおいてブラインド検出を行うことは意義がなく、ＵＥのＥ−ＰＤＣＣＨブラインド検出過程において必要のないエネルギーのオーバーヘッドをもたらす。
【課題を解決するための手段】
【００１４】
本発明の目的は、ブラインド検出方式の確認方法、ブラインド検出方法および装置を提供することにより、ＵＥのＥ−ＰＤＣＣＨブラインド検出過程における必要のないエネルギーのオーバーヘッド問題を解決することにある。
【００１５】
本発明の目的は以下の技術方案により実現する。
【００１６】
ブラインド検出方式の確認方法は、
基地局がシステム設定情報と端末のブラインド検出能力に基づき、端末のサブフレームにおける拡張物理ダウンリンク制御チャネル（Ｅ−ＰＤＣＣＨ）ブラインド検出方式を確認するステップと、
前記基地局が確認した端末の前記サブフレームにおけるＥ−ＰＤＣＣＨブラインド検出方式を前記端末へ通知するステップと
を備える。
【００１７】
ブラインド検出方法は、
端末がサブフレームにおけるシステム設定情報と前記端末のブラインド検出能力に基づき、Ｅ−ＰＤＣＣＨブラインド検出方式を確認するステップと、
前記端末が前記サブフレームにおいて確認したＥ−ＰＤＣＣＨブラインド検出方式に基づき、Ｅ−ＰＤＣＣＨブラインド検出を行うステップと
を備える。
【００１８】
基地局は、
システム設定情報と端末のブラインド検出能力に基づき、端末のサブフレームにおけるＥ−ＰＤＣＣＨブラインド検出方式を確認する、ブラインド検出方式確認モジュールと、
確認した端末の前記サブフレームにおけるＥ−ＰＤＣＣＨブラインド検出方式を前記端末へ通知する、ブラインド検出方式通知モジュールと、
を備える。
【００１９】
端末は、
サブフレームにおけるシステム設定情報と前記端末のブラインド検出能力に基づき、Ｅ−ＰＤＣＣＨブラインド検出方式を確認する、ブラインド検出方式確認モジュールと、
前記サブフレームにおいて確認したＥ−ＰＤＣＣＨブラインド検出方式に基づき、Ｅ−ＰＤＣＣＨブラインド検出を行う、ブラインド検出実行モジュールと、
を備える。
【発明の効果】
【００２０】
本発明の実施形態に係る方法と装置は、システム設定情報のサブフレームにおいて占有するリソースに基づき、ＵＥの当該サブフレームにおけるＥ−ＰＤＣＣＨブラインド検出方式を確認することにより、ＵＥを当該サブフレームにおいてＥ−ＰＤＣＣＨブラインド検出時に確認したＥ−ＰＤＣＣＨブラインド検出方式に基づき実行させ、必要のないエネルギーのオーバーヘッドを回避する。
【図面の簡単な説明】
【００２１】
【図１Ａ】周波数領域での連続的なＥ−ＰＤＣＣＨ伝送の周波数バンドリソースを示す図。
【図１Ｂ】周波数領域での非連続的なＥ−ＰＤＣＣＨ伝送の周波数バンドリソースを示す図。
【図２】本発明の実施形態に係るブラインド検出方式の確認方法のフロー図。
【図３】本発明の実施形態に係るブラインド検出方法のフロー図。
【図４】本発明の実施形態に係るシステム設定におけるＲＥリソースマッピングを示す図。
【図５】本発明の実施形態に係るもう一方のシステム設定におけるＲＥリソースマッピングを示す図。
【図６Ａ】本発明の実施形態に係る基地局機能の構造を示す図。
【図６Ｂ】本発明の実施形態に係る基地局エンティティの構造を示す図。
【図７Ａ】本発明の実施形態に係る端末機能の構造を示す図。
【図７Ｂ】本発明の実施形態に係る端末エンティティの構造を示す図。
【発明を実施するための形態】
【００２２】
本発明の各実施形態はすべて以下のＥ−ＰＤＣＣＨ設計方法に基づく。
【００２３】
＜方法１＞ＰＲＢ  ｐａｉｒにおけるＲＥを固定個数のＥ−ＣＣＥに区分する。ここで、各Ｅ−ＣＣＥに備えるＲＥ数は同じである。ＤＣＩ伝送は、Ｅ−ＣＣＥを単位する物理リソースにおいてＵＥへ送信する。この方法は、主にｌｏｃａｌｉｚｅｄ伝送モードに適用する。また、各Ｅ−ＣＣＥを固定個数のＥ−ＲＥＧに区分する。
【００２４】
＜方法２＞ＰＲＢ  ｐａｉｒにおけるＲＥリソースを固定個数のＥ−ＲＥＧに区分する。各Ｅ−ＲＥＧに備えるＲＥ個数は同じである。さらに、各Ｋ個Ｅ−ＲＥＧＥ−ＣＣＥに束ねる。ＤＣＩ伝送は、Ｅ−ＣＣＥを単位する物理リソースにおいてＵＥへ送信する。この方法は主にｄｉｓｔｒｉｂｕｔｅｄ伝送モードに適用する。
【００２５】
前記Ｅ−ＰＤＣＣＨ設計に基づき、本発明の実施形態において、システム設定情報とＵＥのブラインド検出能力に基づき、ＵＥの当該サブフレームにおけるＥ−ＰＤＣＣＨブラインド検出方式を確認する。ＵＥは確認したＥ−ＰＤＣＣＨブラインド検出方式に基づき、当該サブフレームにおいてＥ−ＰＤＣＣＨブラインド検出を行う。システム設定情報のサブフレームにおいて占有するリソースに基づき、適切なブラインド検出方式を選択できるため、ＵＥのＥ−ＰＤＣＣＨブラインド検出過程において必要のないエネルギーのオーバーヘッドを回避することができる。
【００２６】
以下に図面と結合して、本発明の実施形態に係る方法と装置の詳細を説明する。
【００２７】
本発明の実施形態において、図２は基地局のブラインド検出方式の確認方法であり、当該方法はステップ１００とステップ１１０を備える。
【００２８】
ステップ１００において、基地局はシステム設定情報とＵＥのブラインド検出能力に基づき、ＵＥのサブフレームにおけるＥ−ＰＤＣＣＨブラインド検出方式を確認する。
【００２９】
ステップ１１０において、基地局が確認したＵＥの当該サブフレームにおけるＥ−ＰＤＣＣＨブラインド検出方式を当該端末へ通知する。
【００３０】
具体的に、従来のまたは拡張したシグナルにより確認したＵＥの当該サブフレームにおけるＥ−ＰＤＣＣＨブラインド検出方式を当該端末へ通知することができる。
【００３１】
本発明の実施形態において、システム設定情報は以下を含むがこれらに限らない。
【００３２】
基地局アンテナポート数、ＣＲＳ設定情報（例、ＣＲＳポート設定情報）、復調基準信号（Ｄｅｍｏｄｕｌａｔｉｏｎ  Ｒｅｆｅｒｅｎｃｅ  Ｓｉｇｎａｌ，ＤＭＲＳ）設定情報（例、ＤＭＲＳポート設定情報）、ＣＳＩ−ＲＳ設定情報（例、ＣＳＩ−ＲＳのポート、時間領域の位置、周波数領域の位置等の設定情報）、ｚｅｒｏ−ｐｏｗｅｒ  ＣＳＩ−ＲＳ設定情報（例、ｚｅｒｏ−ｐｏｗｅｒ  ＣＳＩ−ＲＳのポート、時間領域の位置、周波数領域の位置等の設定情報）、位置決定基準信号（Ｐｏｓｉｔｉｏｎｉｎｇ  Ｒｅｆｅｒｅｎｃｅ  ｓｉｇｎａｌ，ＰＲＳ）設定情報（例、ＰＲＳのポート、時間領域の位置、周波数領域の位置等の設定情報）、新キャリアタイプにおける短縮したＣＲＳ設定情報（例、ポート、時間領域の位置、周波数領域の位置等の設定情報）等。
【００３３】
システム設定情報はさらに、プライマリ同期信号（Ｐｒｉｍａｒｙ  Ｓｙｎｃｈｒｏｎｉｚｅｄ  Ｓｉｇｎａｌ，ＰＳＳ）／セカンダリ同期信号（Ｓｅｃｏｎｄａｒｙ  Ｓｙｎｃｈｒｏｎｉｚａｔｉｏｎ  Ｓｉｇｎａｌ，ＳＳＳ）／物理ブロードキャストチャネル（Ｐｈｙｓｉｃａｌ  Ｂｒｏａｄｃａｓｔ  Ｃｈａｎｎｅｌ，ＰＢＣＨ）等の他のシステムにおけるオーバーヘッドチャネル設定情報を含む可能性がある。
【００３４】
システム設定情報はさらに、ＴＤＤ特殊サブフレームにおいてＤｗＰＴＳが占有するシンボル長の個数情報等を含む可能性がある。
【００３５】
好ましくは、前記ステップ１００における具体的な実現方法として、前記システム設定情報とＵＥのブラインド検出能力に基づき、当該ＵＥが当該サブフレームにおいてＥ−ＰＤＣＣＨブラインド検出しなければならないＥ−ＣＣＥアグリゲーションレベル集合を確認することでもよく、当該Ｅ−ＣＣＥアグリゲーションレベル集合において各Ｅ−ＣＣＥアグリゲーションレベルに対応するブラインド検出回数を確認することでもよい。
【００３６】
ここで、Ｅ−ＣＣＥアグリゲーションレベル集合は、集合｛１、２、４、８、１６、３２｝のサブ集合またはフル集合でもよい。また、他の取得する可能性がある値も排除しない。ＵＥのブラインド検出能力に基づき、Ｅ−ＣＣＥアグリゲーションレベル集合のアグリゲーションレベル数を事前に確認することができる。
【００３７】
前記システム設定情報とＵＥのブラインド検出能力に基づき、当該ＵＥが当該サブフレームにおいてＥ−ＰＤＣＣＨブラインド検出しなければならないＥ−ＣＣＥアグリゲーションレベル集合を確認する具体的な実現方法は多様であるが、システムの伝送情況に基づき、確認することができる。
【００３８】
例えば、システム設定情報が占有するリソースはＥ−ＰＤＣＣＨを伝送できないことを考慮すると、もしＥ−ＣＣＥにおいて、Ｅ−ＰＤＣＣＨを伝送できるＲＥ個数は少ない（レガシーＰＤＣＣＨの領域においてＣＣＥが占有するＲＥ数３６との比較）。よって、ＵＥが低いＥ−ＣＣＥアグリゲーションレベルにおいてブラインド検出を行うことは意義がない。このような情況に基づき、低いＥ−ＣＣＥアグリゲーションレベルをＥ−ＣＣＥアグリゲーションレベル集合外に排除することにより、ＵＥのＥ−ＰＤＣＣＨブラインド検出過程において必要のないエネルギーのオーバーヘッドを回避することができる。レガシーＰＤＣＣＨの領域においてＣＣＥが占有するＲＥ個数とは、ＬＴＥシステムプロトコルにおいて定義したＰＤＣＣＨ領域におけるＣＣＥが占有するＲＥ個数をいう。以下に例を挙げてＥ−ＰＤＣＣＨアグリゲーションレベル集合の確認方式を説明する。
【００３９】
基地局は、各Ｅ−ＣＣＥアグリゲーションレベルが提供できるＥ−ＰＤＣＣＨを伝送するＲＥ個数とデフォルトのＲＥ個数のしきい値を比較した結果および端末のブラインド検出能力に基づき、端末が当該サブフレームにおいてＥ−ＰＤＣＣＨブラインド検出しなければならないＥ−ＣＣＥアグリゲーションレベル集合を確認する。
【００４０】
具体的に、Ｅ−ＣＣＥアグリゲーションレベルＭ’（Ｍ’の値は１、２、４、８、１６、３２となる可能性がある）が提供できるＥ−ＰＤＣＣＨを伝送するＲＥ個数Ｘを確認し、
ＸとデフォルトのＲＥ個数のしきい値を比較し、
各Ｅ−ＣＣＥアグリゲーションレベルが提供できるＥ−ＰＤＣＣＨを伝送するＲＥ個数と前記ＲＥ個数のしきい値を比較した結果およびＵＥのブラインド検出能力に基づき、当該ＵＥが前記サブフレームにおいてＥ−ＰＤＣＣＨブラインド検出しなければならないＥ−ＣＣＥアグリゲーションレベル集合を確認する。
【００４１】
ここで、ＲＥ個数のしきい値は、レガシーＰＤＣＣＨの領域においてＣＣＥが占有するＲＥ数３６でもよく、３６と近い数値でもよい。ＲＥ個数のしきい値は、システムの必要に応じて確認できる。
【００４２】
これに応じて、各Ｅ−ＣＣＥアグリゲーションレベルが提供できるＥ−ＰＤＣＣＨを伝送するＲＥ個数と前記ＲＥ個数のしきい値を比較した結果およびＵＥのブラインド検出能力に基づき、当該ＵＥが前記サブフレームにおいてＥ−ＰＤＣＣＨブラインド検出しなければならないＥ−ＣＣＥアグリゲーションレベル集合を確認する具体的な実現方法は以下の実現方式のいずれか１つであるが、これらに限らない。
【００４３】
（一）もし、ＸがＲＥ個数のしきい値（例、３６）より大きい、かつ確認したＥ−ＣＣＥアグリゲーションレベル集合に加えることができるＥ−ＣＣＥアグリゲーションレベル数が事前に確認したＥ−ＣＣＥアグリゲーションレベル集合のアグリゲーションレベル数を超えない場合、当該Ｅ−ＣＣＥアグリゲーションレベルＭ’をＥ−ＣＣＥアグリゲーションレベル集合に加える。そうでない場合は、ＵＥは当該Ｅ−ＣＣＥアグリゲーションレベル集合においてブラインド検出する必要がないことを確認する。
【００４４】
Ｅ−ＣＣＥアグリゲーションレベルの昇順または降順に従い、各アグリゲーションレベルＭ’がＥ−ＣＣＥアグリゲーションレベル集合に加えられたか否かを順次確認することにより、ＵＥが当該サブフレームにおいてＥ−ＰＤＣＣＨブラインド検出しなければならないＥ−ＣＣＥアグリゲーションレベル集合を最終的に確認する。
【００４５】
ここで、事前に確認したＥ−ＣＣＥアグリゲーションレベル集合のアグリゲーションレベル数は、ＵＥのブラインド検出能力を表す。
【００４６】
（二）もし、ＲＥ個数のしきい値（例、３６）とＸの差がデフォルトの第１しきい値より小さい、かつ確認したＥ−ＣＣＥアグリゲーションレベル集合に加えることができるＥ−ＣＣＥアグリゲーションレベル数が事前に確認したＥ−ＣＣＥアグリゲーションレベル集合のアグリゲーションレベル数を超えない場合、当該Ｅ−ＣＣＥアグリゲーションレベルＭ’をＥ−ＣＣＥアグリゲーションレベル集合に加える。そうでない場合は、ＵＥは当該Ｅ−ＣＣＥアグリゲーションレベル集合においてブラインド検出する必要がないことを確認する。
【００４７】
Ｅ−ＣＣＥアグリゲーションレベルの昇順または降順に従い、各アグリゲーションレベルＭ’がＥ−ＣＣＥアグリゲーションレベル集合に加えられたか否かを順次確認することにより、ＵＥが当該サブフレームにおいてＥ−ＰＤＣＣＨブラインド検出しなければならないＥ−ＣＣＥアグリゲーションレベル集合を最終的に確認する。
【００４８】
ここで、事前に確認したＥ−ＣＣＥアグリゲーションレベル集合のアグリゲーションレベル数は、ＵＥのブラインド検出能力を表す。
【００４９】
ここで、第１しきい値はシステムの必要に応じて確認できる。
【００５０】
（三）もし、ＲＥ個数のしきい値（例、３６）とＸの比がデフォルトの第２しきい値より小さい、かつ確認したＥ−ＣＣＥアグリゲーションレベル集合に加えることができるＥ−ＣＣＥアグリゲーションレベル数が事前に確認したＥ−ＣＣＥアグリゲーションレベル集合のアグリゲーションレベル数を超えない場合、当該Ｅ−ＣＣＥアグリゲーションレベルＭ’をＥ−ＣＣＥアグリゲーションレベル集合に加える。そうでない場合は、ＵＥは当該Ｅ−ＣＣＥアグリゲーションレベル集合においてブラインド検出する必要がないことを確認する。
【００５１】
Ｅ−ＣＣＥアグリゲーションレベルの昇順または降順に従い、各アグリゲーションレベルＭ’がＥ−ＣＣＥアグリゲーションレベル集合に加えられたか否かを順次確認することにより、ＵＥが当該サブフレームにおいてＥ−ＰＤＣＣＨブラインド検出しなければならないＥ−ＣＣＥアグリゲーションレベル集合を最終的に確認する。
【００５２】
ここで、事前に確認したＥ−ＣＣＥアグリゲーションレベル集合のアグリゲーションレベル数は、ＵＥのブラインド検出能力を表す。
【００５３】
ここで、第２値はシステムの必要に応じて確認できる。
【００５４】
Ｅ−ＣＣＥアグリゲーションレベル集合を確認後、ＵＥのブラインド検出能力が許す範囲内において、所定の規則に基づきアグリゲーションレベル集合における各Ｅ−ＣＣＥアグリゲーションレベルに対応するブラインド検出回数を確認できる。所定の規則はシステムの必要に応じて設定でき、本発明の実施形態に限らない。例えば、事前にＥ−ＣＣＥアグリゲーションレベル集合におけるアグリゲーションレベル数を４個と定めると、これに応じてブラインド検出回数集合を｛６、６、２、２｝と定めることができるがこれに限らない。
【００５５】
前記で例に挙げたＥ−ＰＤＣＣＨアグリゲーションレベル集合の確認方式において、Ｅ−ＣＣＥアグリゲーションレベルＭ’が提供できるＥ−ＰＤＣＣＨを伝送するＲＥ個数Ｘとは、Ｅ−ＣＣＥアグリゲーションレベルＭ’に対応するＭ’個Ｅ−ＣＣＥに備えるＥ−ＰＤＣＣＨを伝送できるＲＥ個数をいうことができる。これに応じて、システム設定情報の当該サブフレームにおいて占有するリソースに基づき、それぞれこのＭ’個Ｅ−ＣＣＥに備えるＥ−ＰＤＣＣＨを伝送できるＲＥ個数を確認することができる。
【００５６】
前記で例に挙げたＥ−ＰＤＣＣＨアグリゲーションレベル集合の確認方式において、Ｅ−ＣＣＥアグリゲーションレベルＭ’が提供できるＥ−ＰＤＣＣＨを伝送するＲＥ個数Ｘとはさらに、Ｅ−ＣＣＥアグリゲーションレベルＭ’に対応するＭ’個Ｅ−ＣＣＥに備えるＥ−ＰＤＣＣＨを伝送できるＲＥ個数の推計値をいうことができる。これに応じて、システム設定情報の当該サブフレームにおいて占有するリソースに基づき、ＰＲＢ  ｐａｉｒにおいてＥ−ＰＤＣＣＨを伝送できるＲＥ個数を確認することができる。さらに、ＰＲＢ  ｐａｉｒにおいて区分したＥ−ＣＣＥ個数に基づき、Ｅ−ＣＣＥに備えるＥ−ＰＤＣＣＨを伝送できるＲＥ個数の平均値を確認する。最後に、当該ＲＥ個数の平均値基づき、Ｍ’個Ｅ−ＣＣＥに備えるＥ−ＰＤＣＣＨを伝送できるＲＥ個数の推計値を確認する。
【００５７】
好ましくは、基地局は前記本発明の実施形態で説明した方式に基づき、前記ＵＥの所定の時間周期内での各サブフレームにおけるＥ−ＰＤＣＣＨブラインド検出方式を確認することができる。ここで、所定の時間周期は基地局側から確認もでき、基地局とＵＥとの交渉からも確認できる。例えば、無線フレームは所定の時間周期である。
【００５８】
本発明の実施形態において、基地局が確認したＵＥの当該サブフレームにおけるＥ−ＰＤＣＣＨブラインド検出方式を当該端末へ通知する実現方式は多様であるが本発明に限定しない。好ましくは、基地局は当該ＵＥの所定の時間周期内での各サブフレームにおけるＥ−ＰＤＣＣＨブラインド検出方式を当該端末へ通知する。即ち、基地局は当該ＵＥへＵＥの所定の時間周期内でのブラインド検出方式の情報を含むシグナルを送信する。ブラインド検出方式の情報は、所定の時間周期内での各サブフレームのＥ−ＣＣＥアグリゲーションレベル集合の情報とこれに応じたブラインド検出回数を確認できる情報を含む。
【００５９】
サブフレームについて、ＵＥの当該サブフレームにおけるＥ−ＰＤＣＣＨブラインド検出方式を当該ＵＥへ通知する実現方式は以下のいずれかを含むがこれに限らない。
【００６０】
Ｅ−ＣＣＥアグリゲーションレベル集合の通知方式は以下のいずれかを含むがこれに限らない。
【００６１】
（一）基地局は、ＵＥが当該サブフレームにおいてブラインド検出しなければならない各Ｅ−ＣＣＥアグリゲーションレベルをシグナルによりＵＥへ送信する。
【００６２】
例えば、基地局は、ＵＥが当該サブフレームにおいてブラインド検出しなければならないＥ−ＣＣＥアグリゲーションレベル集合は｛２、４、８．１６｝であることを確認する。さらに、基地局は、ＵＥが当該サブフレームにおいてブラインド検出しなければならないＥ−ＣＣＥアグリゲーションレベルは２、４、８、１６であることを通知する。
【００６３】
（二）基地局は、ＵＥが当該サブフレームにおいてブラインド検出しなければならない最も低いＥ−ＣＣＥアグリゲーションレベルをシグナルによりＵＥへ送信する。
【００６４】
ＵＥはこの最も低いＥ−ＣＣＥアグリゲーションレベルに基づき、所定の規則に従いＥ−ＣＣＥアグリゲーションレベル集合を確認することができる。ここで、所定の規則はＵＥと基地局側から定めることもでき、基地局が事前にＵＥへ通知することもでき、または上位層シグナルが指示することもできる。
【００６５】
例えば、基地局は、ＵＥが当該サブフレームにおいてブラインド検出しなければならないＥ−ＣＣＥアグリゲーションレベル集合は｛２、４、８．１６｝であることを確認する。さらに、基地局は、ＵＥが当該サブフレームにおいてブラインド検出しなければならない最も低いＥ−ＣＣＥアグリゲーションレベルは２であることを通知する。
【００６６】
所定の規則の確認について、Ｅ−ＣＣＥアグリゲーションレベル集合が備えるアグリゲーションレベル数は４である。さらに、ＵＥ側は最も低いＥ−ＣＣＥアグリゲーションレベル２とＥ−ＣＣＥアグリゲーションレベル集合が備えるアグリゲーションレベル数４に基づき、ブラインド検出しなければならないアグリゲーションレベル集合は｛２、４、８．１６｝であることを確認できる。
【００６７】
（三）基地局は、ＵＥが当該サブフレームにおいてブラインド検出しなければならない最も低いＥ−ＣＣＥアグリゲーションレベルとＥ−ＣＣＥアグリゲーションレベル集合が備えるアグリゲーションレベル数をシグナルによりＵＥへ送信する。
【００６８】
ＵＥは、この最も低いＥ−ＣＣＥアグリゲーションレベルとＥ−ＣＣＥアグリゲーションレベル集合が備えるアグリゲーションレベル数に基づき、Ｅ−ＣＣＥアグリゲーションレベル集合を確認することができる。
【００６９】
例えば、基地局は、ＵＥが当該サブフレームにおいてブラインド検出しなければならないＥ−ＣＣＥアグリゲーションレベル集合は｛２、４、８．１６｝であることを確認する。さらに、基地局はＵＥが当該サブフレームにおいてブラインド検出しなければならない最も低いＥ−ＣＣＥアグリゲーションレベルは２であること、およびＥ−ＣＣＥアグリゲーションレベル集合が備えるアグリゲーションレベル数４を通知する。さらに、ＵＥ側は、最も低いＥ−ＣＣＥアグリゲーションレベル２とＥ−ＣＣＥアグリゲーションレベル集合が備えるアグリゲーションレベル数４に基づき、ブラインド検出しなければならないアグリゲーションレベル集合は｛２、４、８．１６｝であることを確認できる。
【００７０】
（四）基地局は、ＵＥが当該サブフレームにおいてブラインド検出しなければならない最も高いＥ−ＣＣＥアグリゲーションレベルをシグナルによりＵＥへ送信する。
【００７１】
ＵＥはこの最も高いＥ−ＣＣＥアグリゲーションレベルに基づき、所定の規則に従いＥ−ＣＣＥアグリゲーションレベル集合を確認することができる。ここで、所定の規則はＵＥと基地局側から定めることもでき、基地局が事前にＵＥへ通知することもでき、または上位層シグナルが指示することもできる。
【００７２】
例えば、基地局は、ＵＥが当該サブフレームにおいてブラインド検出しなければならないＥ−ＣＣＥアグリゲーションレベル集合は｛２、４、８．１６｝であることを確認する。さらに、基地局は、ＵＥが当該サブフレームにおいてブラインド検出しなければならない最も高いＥ−ＣＣＥアグリゲーションレベルは１６であることを通知する。
【００７３】
所定の規則の確認について、Ｅ−ＣＣＥアグリゲーションレベル集合が備えるアグリゲーションレベル数は４である。さらに、ＵＥ側に最も高いＥ−ＣＣＥアグリゲーションレベル１６とＥ−ＣＣＥアグリゲーションレベル集合が備えるアグリゲーションレベル数４基づき、ブラインド検出しなければならないアグリゲーションレベル集合は｛２、４、８．１６｝であることを確認できる。
【００７４】
（五）基地局は、ＵＥが当該サブフレームにおいてブラインド検出しなければならない最も高いＥ−ＣＣＥアグリゲーションレベルとＥ−ＣＣＥアグリゲーションレベル集合が備えるアグリゲーションレベル数をシグナルによりＵＥへ送信する。
【００７５】
ＵＥは、この最も高いＥ−ＣＣＥアグリゲーションレベルとＥ−ＣＣＥアグリゲーションレベル集合が備えるアグリゲーションレベル数に基づき、Ｅ−ＣＣＥアグリゲーションレベル集合を確認することをできる。
【００７６】
例えば、基地局は、ＵＥが当該サブフレームにおいてブラインド検出しなければならないＥ−ＣＣＥアグリゲーションレベル集合は｛２、４、８．１６｝であることを確認する。さらに、基地局は、ＵＥが当該サブフレームにおいてブラインド検出しなければならない最も高いＥ−ＣＣＥアグリゲーションレベルは１６であること、およびＥ−ＣＣＥアグリゲーションレベル集合が備えるアグリゲーションレベル数４を通知する。さらに、ＵＥ側は、最も高いＥ−ＣＣＥアグリゲーションレベル１６とＥ−ＣＣＥアグリゲーションレベル集合が備えるアグリゲーションレベル数４に基づき、ブラインド検出しなければならないアグリゲーションレベル集合は｛２、４、８．１６｝であることを確認できる。
【００７７】
Ｅ−ＣＣＥアグリゲーションレベル集合において各アグリゲーションレベルに対応するブラインド検出回数の通知方式は、Ｅ−ＣＣＥアグリゲーションレベル集合において各アグリゲーションレベルに対応するブラインド検出回数をすべてＵＥへ通知することを含むことができるがこれに限らない。
【００７８】
所定の時間周期内であるため、ＵＥの複数のサブフレームにおけるＥ−ＰＤＣＣＨブラインド検出方式は同じである可能性がある。好ましくは、基地局は所定の時間周期内でのサブフレームグループ分けを行うことができ、ＵＥの各グループサブフレームにおけるＥ−ＰＤＣＣＨブラインド検出方式は同じである。
【００７９】
これに応じて、前記ブラインド検出方式の情報はさらに、グループ分け情報と各グループに対応するＥ−ＣＣＥアグリゲーションレベル集合情報とブラインド検出回数の情報を含むことができる。ここで、前記いずれか１つの方式を参照し、各グループに対応するＥ−ＣＣＥアグリゲーションレベル集合情報とブラインド検出回数の情報を通知することができる。
【００８０】
基地局はＵＥグループ分け情報を通知しないこともできる。さらに、ＵＥは基地局側との約定、または基地局側の事前通知、または上位層シグナルの指示等の方式により、所定の時間周期内でのサブフレームのグループ分け情況を知ことができる。例えば、ノーマル・サブフレームとＤｗＰＴＳを１つのグループとすることを事前に定める。
【００８１】
本発明の実施形態において、図３はＵＥのブラインド検出方法であり、ステップ２００とステップ２１０を備える。
【００８２】
ステップ２００において、ＵＥはサブフレームにおけるＥ−ＰＤＣＣＨブラインド検出方式を確認する。
【００８３】
Ｅ−ＰＤＣＣＨブラインド検出方式は、システム設定情報と当該ＵＥのブラインド検出能力に基づき確認する。
【００８４】
ステップ２１０において、ＵＥ前記サブフレームにおいて確認したＥ−ＰＤＣＣＨブラインド検出方式に基づき、Ｅ−ＰＤＣＣＨブラインド検出を行う。
【００８５】
ここで、システム設定情報の説明は前記基地局側の方法を参照できるため、ここでは繰り返さない。
【００８６】
好ましくは、前記ステップ２００における具体的な実現方法として、ＵＥがシステム設定情報とブラインド検出能力に基づき、前記サブフレームにおけるＥ−ＰＤＣＣＨブラインド検出方式を確認することでもよい。具体的に、ＵＥはシステム設定情報とブラインド検出能力に基づき、当該サブフレームにおいてＥ−ＰＤＣＣＨブラインド検出しなければならないＥ−ＣＣＥアグリゲーションレベル集合を確認する。
【００８７】
この具体的な実現方法は基地局側の説明を参照できるため、ここでは繰り返さない。
【００８８】
好ましくは、ＵＥはシステム設定情報とブラインド検出能力に基づき、当該サブフレームにおいてＥ−ＰＤＣＣＨブラインド検出しなければならないＥ−ＣＣＥアグリゲーションレベル集合を確認する具体的な実現方法として、端末が各Ｅ−ＣＣＥアグリゲーションレベルが提供できるＥ−ＰＤＣＣＨを伝送するＲＥ個数とデフォルトのＲＥ個数のしきい値を比較した結果および端末のブラインド検出能力に基づき、当該サブフレームにおいてＥ−ＰＤＣＣＨブラインド検出しなければならないＥ−ＣＣＥアグリゲーションレベル集合を確認する。
【００８９】
具体的に、ＵＥが前記システム設定情報の前記サブフレームにおいて占有するリソースに基づき、ＰＲＢ  ｐａｉｒにおいてＥ−ＰＤＣＣＨを伝送できるＲＥ個数を確認し、
ＵＥがＰＲＢ  ｐａｉｒにおいて区分したＥ−ＣＣＥ個数に基づき、Ｅ−ＣＣＥに備えるＥ−ＰＤＣＣＨを伝送できるＲＥ個数の平均値を確認し、
ＵＥが前記ＲＥ個数の平均値に基づき、Ｅ−ＣＣＥアグリゲーションレベルＭ’が提供できるＥ−ＰＤＣＣＨを伝送するＲＥ個数Ｘを確認し、
ＵＥがＸとデフォルトのＲＥ個数のしきい値を比較し、
ＵＥが各Ｅ−ＣＣＥアグリゲーションレベルが提供できるＥ−ＰＤＣＣＨを伝送するＲＥ個数と前記ＲＥ個数のしきい値を比較した結果および前記端末のブラインド検出能力に基づき、前記サブフレームにおいてＥ−ＰＤＣＣＨブラインド検出しなければならないＥ−ＣＣＥアグリゲーションレベル集合を確認する。
【００９０】
ここで、デフォルトのＲＥ個数のしきい値は、レガシーＰＤＣＣＨの領域におけるＣＣＥが占有するＲＥ個数である。
【００９１】
好ましくは、前記ステップ２１０における具体的な実現方法として、ＵＥが基地局の通知に基づき、前記サブフレームにおけるＥ−ＰＤＣＣＨブラインド検出方式を確認することでもよい。特に、ＵＥは基地局の通知に基づき、所定の時間周期内での各サブフレームにおけるＥ−ＰＤＣＣＨブラインド検出方式を確認することができる。
【００９２】
この具体的な実現方法は基地局側の説明を参照できるため、ここでは繰り返さない。
【００９３】
好ましくは、ＵＥは基地局の通知に基づき、所定の時間周期内での各サブフレームにおけるＥ−ＰＤＣＣＨブラインド検出方式を確認する。
【００９４】
具体的に、ＵＥが所定の規則に従い、前記所定の時間周期内でのサブフレームを２グループに分け、１グループをノーマル・サブフレームとし、一方のグループをダウンリンクパイロット・タイムスロットＤｗＰＴＳとするステップと、
ＵＥが基地局の通知に基づき、各グループサブフレームにおけるＥ−ＰＤＣＣＨブラインド検出方式を確認するステップと
を備える。
【００９５】
以下に具体的に応用シーンを例に挙げ、本発明の実施形態の方法の詳細を説明する。ノーマルＣＰにおいて、システムにおいてＣＲＳポートを２個（ＰＲＢ  ｐａｉｒにおいて１６ＲＥを占有する）、ＤＭＲＳポートを４個（ＰＲＢ  ｐａｉｒにおいて２４ＲＥを占有する）とする。
【００９６】
（シーン１）ＰＲＢ  ｐａｉｒを４Ｅ−ＣＣＥに固定区分する。
【００９７】
ノーマル・サブフレームにおいて、レガシーＰＤＣＣＨの領域はＯＦＤＭシンボルを占有し、サブフレームにはＣＳＩ−ＲＳ／ｚｅｒｏ  ｐｏｗｅｒ  ＣＳＩ−ＲＳポートを設定しない。よって、図４のＡ）に示す通り、ＰＲＢ  ｐａｉｒにおいて使用可能なＲＥ個数は１６８−（１６＋２４＋８）＝１２０であり、各Ｅ−ＣＣＥに備えるＥ−ＰＤＣＣＨを伝送できるＲＥ個数の平均値は１２０／４＝３０個である。
【００９８】
ＤｗＰＴＳ長が６ＯＳであれば、図４中Ｂ）に示す通り、ＰＲＢ  ｐａｉｒにおいて使用可能なＲＥ数は１２×６−（１２＋４＋１２）＝４４であり、各Ｅ−ＣＣＥに備えるＥ−ＰＤＣＣＨを伝送できるＲＥ個数の平均値は１１個である。このような情況において、ＤＣＩは基本的にＥ−ＣＣＥにおいて伝送できない。つまり、ＵＥがＥ−ＣＣＥアグリゲーションレベルが１であるＥ−ＰＤＣＣＨをブラインド検出することは意義がなく、端末のパワーを高める。この他に、このような設計においてＥ−ＣＣＥアグリゲーションレベル８のＥ−ＰＤＣＣＨは８８個の有効なＲＥのみを占有し、これの伝送性能はレガシーＰＤＣＣＨの領域におけるアグリゲーションレベルが４である性能に及ばず、Ｅ−ＰＤＣＣＨのカバレッジを制限する。
【００９９】
ＤｗＰＴＳ長が９ＯＳであれば、図４のＣ）に示す通り、ＰＲＢ  ｐａｉｒにおいて使用可能なＲＥ数は１２×９−（１２＋２４＋８）＝６４であり、各Ｅ−ＣＣＥに備えるＥ−ＰＤＣＣＨを伝送できるＲＥ個数の平均値は１６個である。このような情況において、ＤＣＩは基本的にＥ−ＣＣＥにおいて伝送できない。つまり、ＵＥアグリゲーションレベルが１であるＥ−ＰＤＣＣＨをブラインド検出ことは意義がなく、端末のパワーを消耗する。この他に、このような設計においてアグリゲーションレベル８のＥ−ＰＤＣＣＨは１２８個の有効なＲＥのみを占有し、これの伝送性能はレガシーＰＤＣＣＨの領域におけるアグリゲーションレベルが４である性能に及ばず、Ｅ−ＰＤＣＣＨのカバレッジを制限する。
【０１００】
第１しきい値を８と定める場合、Ｅ−ＣＣＥアグリゲーションレベル集合が備えるＥ−ＣＣＥアグリゲーションレベル数は４である。よって、基地局またはＵＥサブフレームにおけるＥ−ＰＤＣＣＨブラインド検出方式を確認する。具体的には以下の通りである。
【０１０１】
ノーマル・サブフレームにおいて、Ｅ−ＣＣＥアグリゲーションレベル１が提供できるＥ−ＰＤＣＣＨを伝送するＲＥ個数は３０であることを確認する。３６と３０の差が第１しきい値８より小さければ、ＵＥはノーマル・サブフレームにおけるＥ−ＣＣＥアグリゲーションレベル１においてブラインド検出を行うことができる。
【０１０２】
続いて、Ｅ−ＣＣＥアグリゲーションレベル集合が備えるＥ−ＣＣＥアグリゲーションレベル数は４であることに基づき、Ｅ−ＣＣＥアグリゲーションレベル集合は｛１、２、４、８｝であることを確認する。これに応じて、ブラインド検出回数は｛６、６、２、２｝である。
【０１０３】
長さが６ＯＦＤＭ  Ｓｙｍｂｏｌｓ（ＯＳ）であるＤｗＰＴＳについて、Ｅ−ＣＣＥアグリゲーションレベル１が提供できるＥ−ＰＤＣＣＨを伝送するＲＥ個数は１１であることを確認する。３６と１１の差が第１しきい値８より大きければ、ＵＥはＥ−ＣＣＥアグリゲーションレベル１においてブラインド検出を放棄できることを確認する。Ｅ−ＣＣＥアグリゲーションレベル２が提供できるＥ−ＰＤＣＣＨを伝送するＲＥ個数は２２であることを確認する。３６と２２の差が第１しきい値８より大きければ、ＵＥはＥ−ＣＣＥアグリゲーションレベル２においてブラインド検出を放棄できることを確認する。Ｅ−ＣＣＥアグリゲーションレベル４が提供できるＥ−ＰＤＣＣＨを伝送するＲＥ個数は４４であることを確認する。３６と４４の差が第１しきい値８より小さければ、ＵＥは長が６０ＳであるＤｗＰＴＳにおいて、Ｅ−ＣＣＥアグリゲーションレベル４においてブラインド検出を行うことができる。
【０１０４】
続いて、Ｅ−ＣＣＥアグリゲーションレベル集合が備えるＥ−ＣＣＥアグリゲーションレベル数は４であることに基づき、Ｅ−ＣＣＥアグリゲーションレベル集合は｛４、８、１６、３２｝であることを確認する。これに応じて、ブラインド検出回数は｛６、６、２、２｝である。
【０１０５】
長さが９０ＳであるＤｗＰＴＳについて、Ｅ−ＣＣＥアグリゲーションレベル１が提供できるＥ−ＰＤＣＣＨを伝送するＲＥ個数は１６であることを確認する。３６と１６の差が第１しきい値８より大きければ、ＵＥはＥ−ＣＣＥアグリゲーションレベル１においてブラインド検出を放棄できることを確認する。Ｅ−ＣＣＥアグリゲーションレベル２が提供できるＥ−ＰＤＣＣＨを伝送するＲＥ個数は３２であることを確認する。３６と３２の差が第１しきい値８より小さければ、ＵＥは長が９０ＳであるＤｗＰＴＳにおいて、Ｅ−ＣＣＥアグリゲーションレベル２においてブラインド検出を行うことができる。
【０１０６】
続いて、Ｅ−ＣＣＥアグリゲーションレベル集合が備えるＥ−ＣＣＥアグリゲーションレベル数は４であることに基づき、Ｅ−ＣＣＥアグリゲーションレベル集合は｛２、４、８．１６｝であることを確認する。これに応じて、ブラインド検出回数は｛６、６、２、２｝である。
【０１０７】
本発明の実施形態に係る方法により、ＵＥがＤｗＰＴＳにおいてブラインド検出時、高いアグリゲーションレベルから開始することができ、必要のないパワーオーバーヘッドを低減するだけでなく、伝送性能を高める。例えば、Ｅ−ＣＣＥアグリゲーションレベル８において、Ｅ−ＰＤＣＣＨ伝送性能はレガシーＰＤＣＣＨの領域におけるアグリゲーションレベルが４である性能に及ばない。さらに、本発明に係る方法により、ＵＥはＤｗＰＴＳにおいてＥ−ＣＣＥアグリゲーションレベル１６、ひいてはＥ−ＣＣＥアグリゲーションレベル３２においてブラインド検出を行うことができることにより、システムの伝送性能を高める。
【０１０８】
（シーン２）標準がＤｗＰＴＳにおいてＣＳＩ−ＲＳ／Ｚｅｒｏ  ｐｏｗｅｒ  ＣＳＩ−ＲＳ設定を許さないため、このような情況はノーマル・サブフレームにおいてのみ考慮する。
【０１０９】
ＰＲＢ  ｐａｉｒを４Ｅ−ＣＣＥに固定区分する。
【０１１０】
ノーマル・サブフレームにおいて、システムにてレガシーＰＤＣＣＨの領域は２ＯＦＤＭシンボルを占有し、８ポートのＣＳＩ−ＲＳ（８ＲＥ）と可能性があるｚｅｒｏ  ｐｏｗｅｒ  ＣＳＩ−ＲＳポート（２４ＲＥ）全てを設定する。よって、図５に示す通り、ＰＲＢ  ｐａｉｒにおいて使用可能なＲＥ個数は１６８−（１６＋２４＋２０）−（８＋２４）＝７６であり、各Ｅ−ＣＣＥに備えるＥ−ＰＤＣＣＨを伝送できるＲＥ個数の平均値は７６／４＝１９個である。このような情況において、ＤＣＩは基本的にＥ−ＣＣＥにおいて伝送できない。つまり、ＵＥがＥ−ＣＣＥアグリゲーションレベルが１であるＥ−ＰＤＣＣＨをブラインド検出ことは意義がなく、端末のパワーを消耗する。この他に、このような設計においてアグリゲーションレベル８のＥ−ＰＤＣＣＨは１５２個の有効なＲＥのみを占有し、これの伝送性能はレガシーＰＤＣＣＨの領域におけるアグリゲーションレベルが４である性能に及ばず、Ｅ−ＰＤＣＣＨのカバレッジを制限する。
【０１１１】
第１しきい値を８と定める場合、Ｅ−ＣＣＥアグリゲーションレベル集合が備えるＥ−ＣＣＥアグリゲーションレベル数は４である。よって、基地局またはＵＥサブフレームにおけるＥ−ＰＤＣＣＨブラインド検出方式を確認する。具体的には以下の通りである。
【０１１２】
Ｅ−ＣＣＥアグリゲーションレベル１が提供できるＥ−ＰＤＣＣＨを伝送するＲＥ個数は１９であることを確認する。１９と３０の差が第１しきい値８より大きければ、ＵＥはＥ−ＣＣＥアグリゲーションレベル１においてブラインド検出を放棄できることを確認する。Ｅ−ＣＣＥアグリゲーションレベル２が提供できるＥ−ＰＤＣＣＨを伝送するＲＥ個数は３８であることを確認する。３８と３０の差が第１しきい値８より小さければ、ＵＥはノーマル・サブフレームにおけるＥ−ＣＣＥアグリゲーションレベル２においてブラインド検出を行うことができる。
【０１１３】
続いて、Ｅ−ＣＣＥアグリゲーションレベル集合が備えるＥ−ＣＣＥアグリゲーションレベル数は４であることに基づき、Ｅ−ＣＣＥアグリゲーションレベル集合は｛２、４、８．１６｝であることを確認する。これに応じて、ブラインド検出回数は｛６、６、２、２｝である。
【０１１４】
本発明の実施形態に係る方法により、ＵＥがノーマル・サブフレームにおいてブラインド検出時、高いアグリゲーションレベルから開始することができ、必要のないパワーオーバーヘッドを低減するだけでなく伝送性能を高める。例えば、Ｅ−ＣＣＥアグリゲーションレベル８において、Ｅ−ＰＤＣＣＨ伝送性能はレガシーＰＤＣＣＨの領域におけるアグリゲーションレベルが４である性能に及ばない。さらに、本発明に係る方法により、ＵＥはＤｗＰＴＳにおいてＥ−ＣＣＥアグリゲーションレベル１６、ひいてはＥ−ＣＣＥアグリゲーションレベル３２においてブラインド検出を行うことによりシステムの伝送性能を高める。
【０１１５】
図６Ａは、本発明の実施形態に係るは基地局であり、
システム設定情報と端末のブラインド検出能力に基づき、端末のサブフレームにおけるＥ−ＰＤＣＣＨブラインド検出方式を確認する、ブラインド検出方式確認モジュール６０と、
確認した端末の前記サブフレームにおけるＥ−ＰＤＣＣＨブラインド検出方式を前記端末へ通知する、ブラインド検出方式通知モジュール６１とを備える。
【０１１６】
好ましくは、ブラインド検出方式確認モジュール６０は、
前記システム設定情報と前記端末のブラインド検出能力に基づき、前記端末が前記サブフレームにおいてＥ−ＰＤＣＣＨブラインド検出しなければならないＥ−ＣＣＥアグリゲーションレベル集合を確認する、ブラインド検出アグリゲーションレベル集合確認サブモジュールと
前記Ｅ−ＣＣＥアグリゲーションレベル集合において各Ｅ−ＣＣＥアグリゲーションレベルに対応するブラインド検出回数を確認する、ブラインド検出回数確認サブモジュールとを備える。
【０１１７】
好ましくは、ブラインド検出アグリゲーションレベル集合確認サブモジュールは、具体的には、各Ｅ−ＣＣＥアグリゲーションレベルが提供できるＥ−ＰＤＣＣＨを伝送するリソース要素（ＲＥ）個数とデフォルトのＲＥ個数のしきい値を比較した結果および前記端末のブラインド検出能力に基づき、前記端末が前記サブフレームにおいてＥ−ＰＤＣＣＨブラインド検出しなければならないＥ−ＣＣＥアグリゲーションレベル集合を確認することに用いる。
【０１１８】
好ましくは、ブラインド検出アグリゲーションレベル集合確認サブモジュールは、具体的には、前記システム設定情報の前記サブフレームにおいて占有するリソースに基づき、物理リソースブロックペア（ＰＲＢ  ｐａｉｒ）においてＥ−ＰＤＣＣＨを伝送できるリソース要素（ＲＥ）個数を確認することと、
ＰＲＢ  ｐａｉｒにおいて区分したＥ−ＣＣＥ個数に基づき、Ｅ−ＣＣＥに備えるＥ−ＰＤＣＣＨを伝送できるＲＥ個数の平均値を確認することと、
前記ＲＥ個数の平均値に基づき、Ｅ−ＣＣＥアグリゲーションレベルＭ’が提供できるＥ−ＰＤＣＣＨを伝送するＲＥ個数Ｘを確認することと、
ＸとデフォルトのＲＥ個数のしきい値を比較することと、
各Ｅ−ＣＣＥアグリゲーションレベルが提供できるＥ−ＰＤＣＣＨを伝送するＲＥ個数と前記ＲＥ個数のしきい値を比較した結果および前記端末のブラインド検出能力に基づき、前記端末が前記サブフレームにおいてＥ−ＰＤＣＣＨブラインド検出しなければならないＥ−ＣＣＥアグリゲーションレベル集合を確認することと、
を備える。
【０１１９】
前記デフォルトのＲＥ個数のしきい値は、レガシーＰＤＣＣＨの領域におけるＣＣＥが占有するＲＥ個数である。
【０１２０】
好ましくは、ブラインド検出アグリゲーションレベル集合確認サブモジュールは、具体的には、前記システム設定情報の前記サブフレームにおいて占有するリソースに基づき、ＰＲＢ  ｐａｉｒにおいてＥ−ＰＤＣＣＨを伝送できるＲＥ個数を確認することと、
ＰＲＢ  ｐａｉｒにおいて区分したＥ−ＣＣＥ個数に基づき、Ｅ−ＣＣＥに備えるＥ−ＰＤＣＣＨを伝送できるＲＥ個数の平均値を確認することと、
前記ＲＥ個数の平均値に基づき、Ｅ−ＣＣＥアグリゲーションレベルＭ’が提供できるＥ−ＰＤＣＣＨを伝送するＲＥ個数Ｘを確認することと、
ＸとレガシーＰＤＣＣＨの領域におけるＣＣＥが占有するＲＥ数３６を比較することと、
もし、３６とＸの比デフォルトの第２しきい値より小さく、確認したＥ−ＣＣＥアグリゲーションレベル数が前記端末のブラインド検出能力を超えなければ、前記Ｅ−ＣＣＥアグリゲーションレベルＭ’をＥ−ＣＣＥアグリゲーションレベル集合に加えることとに用いる。
【０１２１】
好ましくは、ブラインド検出方式通知モジュール６１は具体的に、
前記端末の所定の時間周期内での各サブフレームにおけるＥ−ＰＤＣＣＨブラインド検出方式を前記端末へ通知することに用いる。
【０１２２】
好ましくは、ブラインド検出方式通知モジュール６１は具体的に、
所定の規則に従い前記所定の時間周期内でのサブフレームグループ分けを行い、前記端末の各グループサブフレームにおけるＥ−ＰＤＣＣＨブラインド検出方式同じであることと、
前記端末の各グループサブフレームにおけるＥ−ＰＤＣＣＨブラインド検出方式を前記端末へ通知することとに用いる。
【０１２３】
好ましくは、所定の規則に従い前記所定の時間周期内でのサブフレームグループ分けを行う時、前記ブラインド検出方式通知モジュール６１は具体的に、
所定の規則に従い、前記所定の時間周期内でのサブフレームを２グループに分け、１グループをノーマル・サブフレームとし、一方のグループをダウンリンクパイロット・タイムスロットＤｗＰＴＳとすることとに用いる。
【０１２４】
ハードウェアでの導入において、ブラインド検出方式確認モジュール６０は具体的にプロセッサでもよく、ブラインド検出方式通知モジュール６１は具体的にアンテナの信号を送受信する送受信装置を備えることもできる。この時、図６Ｂは本発明の実施形態に係る基地局であり、
システム設定情報と端末のブラインド検出能力に基づき、端末のサブフレームにおけるＥ−ＰＤＣＣＨブラインド検出方式を確認する、第１プロセッサ６００と、
確認した端末の前記サブフレームにおけるＥ−ＰＤＣＣＨブラインド検出方式を前記端末へ通知する、第１信号送受信装置６１０とを備える。
【０１２５】
好ましくは、第１プロセッサ６００は具体的に、前記システム設定情報と前記端末のブラインド検出能力に基づき、前記端末が前記サブフレームにおいてＥ−ＰＤＣＣＨブラインド検出しなければならないＥ−ＣＣＥアグリゲーションレベル集合を確認することと、
前記Ｅ−ＣＣＥアグリゲーションレベル集合において各Ｅ−ＣＣＥアグリゲーションレベルに対応するブラインド検出回数を確認することとに用いる。
【０１２６】
好ましくは、第１プロセッサ６００は具体的に、
各Ｅ−ＣＣＥアグリゲーションレベルが提供できるＥ−ＰＤＣＣＨを伝送するリソース要素（ＲＥ）個数とデフォルトのＲＥ個数のしきい値を比較した結果および前記端末のブラインド検出能力に基づき、前記端末が前記サブフレームにおいてＥ−ＰＤＣＣＨブラインド検出しなければならないＥ−ＣＣＥアグリゲーションレベル集合を確認することに用いる。
【０１２７】
好ましくは、第１プロセッサ６００は具体的に、
前記システム設定情報の前記サブフレームにおいて占有するリソースに基づき、物理リソースブロックペア（ＰＲＢ  ｐａｉｒ）においてＥ−ＰＤＣＣＨを伝送できるリソース要素（ＲＥ）個数を確認することと、
ＰＲＢ  ｐａｉｒにおいて区分したＥ−ＣＣＥ個数に基づき、Ｅ−ＣＣＥに備えるＥ−ＰＤＣＣＨを伝送できるＲＥ個数の平均値を確認することと、
前記ＲＥ個数の平均値に基づき、Ｅ−ＣＣＥアグリゲーションレベルＭ’が提供できるＥ−ＰＤＣＣＨを伝送するＲＥ個数Ｘを確認することと、
ＸとデフォルトのＲＥ個数のしきい値を比較することと、
各Ｅ−ＣＣＥアグリゲーションレベルが提供できるＥ−ＰＤＣＣＨを伝送するＲＥ個数と前記ＲＥ個数のしきい値を比較した結果および前記端末のブラインド検出能力に基づき、前記端末が前記サブフレームにおいてＥ−ＰＤＣＣＨブラインド検出しなければならないＥ−ＣＣＥアグリゲーションレベル集合を確認することとに用いる。
【０１２８】
前記デフォルトのＲＥ個数のしきい値は、レガシーＰＤＣＣＨの領域におけるＣＣＥが占有するＲＥ個数である。
【０１２９】
好ましくは、第１プロセッサ６００は具体的に、  
前記システム設定情報の前記サブフレームにおいて占有するリソースに基づき、ＰＲＢ  ｐａｉｒにおいてＥ−ＰＤＣＣＨを伝送できるＲＥ個数を確認することと、
ＰＲＢ  ｐａｉｒにおいて区分したＥ−ＣＣＥ個数に基づき、Ｅ−ＣＣＥに備えるＥ−ＰＤＣＣＨを伝送できるＲＥ個数の平均値を確認することと、
前記ＲＥ個数の平均値に基づき、Ｅ−ＣＣＥアグリゲーションレベルＭ’が提供できるＥ−ＰＤＣＣＨを伝送するＲＥ個数Ｘを確認することと、
ＸとレガシーＰＤＣＣＨの領域におけるＣＣＥが占有するＲＥ数３６を比較することと、
もし３６とＸの比がデフォルトの第２しきい値より小さく、確認したＥ−ＣＣＥアグリゲーションレベル数が前記端末のブラインド検出能力を超えなければ、前記Ｅ−ＣＣＥアグリゲーションレベルＭ’をＥ−ＣＣＥアグリゲーションレベル集合に加えることとに用いる
【０１３０】
好ましくは、第１信号送受信装置６１０は具体的に、
前記端末の所定の時間周期内での各サブフレームにおけるＥ−ＰＤＣＣＨブラインド検出方式を前記端末へ通知することに用いる。
【０１３１】
好ましくは、第１信号送受信装置６１０は具体的に、
所定の規則に従い前記所定の時間周期内でのサブフレームグループ分けを行い、前記端末の各グループサブフレームにおけるＥ−ＰＤＣＣＨブラインド検出方式は同じであることと、
前記端末の各グループサブフレームにおけるＥ−ＰＤＣＣＨブラインド検出方式を前記端末へ通知することとに用いる。
【０１３２】
好ましくは、所定の規則に従い前記所定の時間周期内でのサブフレームグループ分けを行う時、前記第１信号送受信装置６１０は具体的に、
所定の規則に従い、前記所定の時間周期内でのサブフレームを２グループに分け、１グループをノーマル・サブフレームとし、一方のグループをダウンリンクパイロット・タイムスロットＤｗＰＴＳとすることに用いる。
【０１３３】
本発明の実施形態に係る端末はさらに、図７Ａを示すを実現し、具体的には、サブフレームにおけるシステム設定情報と前記端末のブラインド検出能力に基づき、Ｅ−ＰＤＣＣＨブラインド検出方式を確認する、ブラインド検出方式確認モジュール７０と、前記サブフレームにおいて確認したＥ−ＰＤＣＣＨブラインド検出方式に基づき、Ｅ−ＰＤＣＣＨブラインド検出を行う、ブラインド検出実行モジュール７１とを備える。
【０１３４】
好ましくは、ブラインド検出方式確認モジュール７０は、具体的には、システム設定情報とブラインド検出能力に基づき、前記サブフレームにおけるＥ−ＰＤＣＣＨブラインド検出方式を確認することと、または、基地局の通知に基づき、前記サブフレームにおけるＥ−ＰＤＣＣＨブラインド検出方式を確認することとに用いる。
【０１３５】
好ましくは、もしシステム設定情報とブラインド検出能力に基づき、前記サブフレームにおけるＥ−ＰＤＣＣＨブラインド検出方式を確認する場合、前記ブラインド検出方式確認モジュール７０は、具体的には、前記システム設定情報とブラインド検出能力に基づき、前記サブフレームにおいてＥ−ＰＤＣＣＨブラインド検出しなければならないＥ−ＣＣＥアグリゲーションレベル集合を確認する、ブラインド検出アグリゲーションレベル集合確認サブモジュールを備え、前記Ｅ−ＣＣＥアグリゲーションレベル集合において各Ｅ−ＣＣＥアグリゲーションレベルに対応するブラインド検出回数を確認する、ブラインド検出回数確認サブモジュールとを備える。
【０１３６】
好ましくは、ブラインド検出アグリゲーションレベル集合確認サブモジュールは具体的に、各Ｅ−ＣＣＥアグリゲーションレベルが提供できるＥ−ＰＤＣＣＨを伝送するリソース要素（ＲＥ）個数とデフォルトのＲＥ個数のしきい値を比較した結果および前記端末のブラインド検出能力に基づき、前記端末が前記サブフレームにおいてＥ−ＰＤＣＣＨブラインド検出しなければならないＥ−ＣＣＥアグリゲーションレベル集合を確認することに用いる。
【０１３７】
好ましくは、ブラインド検出アグリゲーションレベル集合確認サブモジュールは、具体的には、前記システム設定情報の前記サブフレームにおいて占有するリソースに基づき、ＰＲＢ  ｐａｉｒにおいてＥ−ＰＤＣＣＨを伝送できるＲＥ個数を確認することと、
ＰＲＢ  ｐａｉｒにおいて区分したＥ−ＣＣＥ個数に基づき、Ｅ−ＣＣＥに備えるＥ−ＰＤＣＣＨを伝送できるＲＥ個数の平均値を確認することと、
前記ＲＥ個数の平均値に基づき，Ｅ−ＣＣＥアグリゲーションレベルＭ’が提供できるＥ−ＰＤＣＣＨを伝送するＲＥ個数Ｘを確認することと、
ＸとデフォルトのＲＥ個数のしきい値を比較することと、
各Ｅ−ＣＣＥアグリゲーションレベルが提供できるＥ−ＰＤＣＣＨを伝送するＲＥ個数と前記ＲＥ個数のしきい値を比較した結果および前記端末のブラインド検出能力に基づき、前記端末が前記サブフレームにおいてＥ−ＰＤＣＣＨブラインド検出しなければならないことを確認することとに用いる。
【０１３８】
前記デフォルトのＲＥ個数のしきい値は、レガシーＰＤＣＣＨの領域におけるＣＣＥが占有するＲＥ個数である。
【０１３９】
好ましくは、ブラインド検出アグリゲーションレベル集合確認サブモジュールは、具体的には、前記システム設定情報の前記サブフレームにおいて占有するリソースに基づき、ＰＲＢ  ｐａｉｒにおいてＥ−ＰＤＣＣＨを伝送できるＲＥ個数を確認することと、
ＰＲＢ  ｐａｉｒにおいて区分したＥ−ＣＣＥ個数に基づき、Ｅ−ＣＣＥに備えるＥ−ＰＤＣＣＨを伝送できるＲＥ個数の平均値を確認することと、
前記ＲＥ個数の平均値に基づき、Ｅ−ＣＣＥアグリゲーションレベルＭ’が提供できるＥ−ＰＤＣＣＨを伝送するＲＥ個数Ｘを確認することと、
ＸとレガシーＰＤＣＣＨの領域におけるＣＣＥが占有するＲＥ数３６を比較することと、
もし、３６とＸの比デフォルトの第２しきい値より小さく、確認したＥ−ＣＣＥアグリゲーションレベル数が前記端末のブラインド検出能力を超えなければ、前記Ｅ−ＣＣＥアグリゲーションレベルＭ’をＥ−ＣＣＥアグリゲーションレベル集合に加えることとに用いる。
【０１４０】
好ましくは、もし基地局の通知に基づき、前記サブフレームにおけるＥ−ＰＤＣＣＨブラインド検出方式を確認する場合、前記ブラインド検出方式確認モジュール７０は、具体的には、基地局の通知に基づき、所定の時間周期内での各サブフレームにおけるＥ−ＰＤＣＣＨブラインド検出方式を確認することに用いる。
【０１４１】
好ましくは、前記ブラインド検出方式確認モジュール７０は、具体的には、所定の規則に従い、前記所定の時間周期内でのサブフレームを２グループに分け、１グループをノーマル・サブフレームとし、一方のグループをダウンリンクパイロット・タイムスロットＤｗＰＴＳとすることと、
基地局の通知に基づき、各グループサブフレームにおけるＥ−ＰＤＣＣＨブラインド検出方式を確認することとに用いる。
【０１４２】
ハードウェアでの導入において、ブラインド検出方式確認モジュール７０は具体的にプロセッサでもよく、ブラインド検出実行モジュール７１は具体的にアンテナの信号を送受信する送受信装置を備えることもできる。この時、図７Ｂは本発明の実施形態に係る基地局であり、
サブフレームにおけるシステム設定情報と前記端末のブラインド検出能力に基づき、Ｅ−ＰＤＣＣＨブラインド検出方式を確認する、第２プロセッサ７００と、
前記サブフレームにおいて確認したＥ−ＰＤＣＣＨブラインド検出方式に基づき、Ｅ−ＰＤＣＣＨブラインド検出を行う、第２信号送受信装置７１０とを備える。
【０１４３】
好ましくは、第２プロセッサ７００は具体的に、
システム設定情報とブラインド検出能力に基づき、前記サブフレームにおけるＥ−ＰＤＣＣＨブラインド検出方式を確認することと、
または、
基地局の通知に基づき、前記サブフレームにおけるＥ−ＰＤＣＣＨブラインド検出方式を確認することとに用いる。
【０１４４】
好ましくは、前記第２プロセッサ７００は具体的に、システム設定情報とブラインド検出能力に基づき、前記サブフレームにおけるＥ−ＰＤＣＣＨブラインド検出方式を確認時、まず前記システム設定情報とブラインド検出能力に基づき、前記サブフレームにおいてＥ−ＰＤＣＣＨブラインド検出しなければならないＥ−ＣＣＥアグリゲーションレベル集合を確認することと、
そして、前記Ｅ−ＣＣＥアグリゲーションレベル集合において各Ｅ−ＣＣＥアグリゲーションレベルに対応するブラインド検出回数を確認することとに用いる。
【０１４５】
好ましくは、前記第２プロセッサ７００は、具体的には、各Ｅ−ＣＣＥアグリゲーションレベルが提供できるＥ−ＰＤＣＣＨを伝送するリソース要素（ＲＥ）個数とデフォルトのＲＥ個数のしきい値を比較した結果および前記端末のブラインド検出能力に基づき、前記端末が前記サブフレームにおいてＥ−ＰＤＣＣＨブラインド検出しなければならないＥ−ＣＣＥアグリゲーションレベル集合を確認すこととに用いる。
【０１４６】
好ましくは、前記第２プロセッサ７００は、具体的には、前記システム設定情報の前記サブフレームにおいて占有するリソースに基づき、ＰＲＢ  ｐａｉｒにおいてＥ−ＰＤＣＣＨを伝送できるＲＥ個数を確認することと、
ＰＲＢ  ｐａｉｒにおいて区分したＥ−ＣＣＥ個数に基づき、Ｅ−ＣＣＥに備えるＥ−ＰＤＣＣＨを伝送できるＲＥ個数の平均値を確認することと、
前記ＲＥ個数の平均値に基づき、Ｅ−ＣＣＥアグリゲーションレベルＭ’が提供できるＥ−ＰＤＣＣＨを伝送するＲＥ個数Ｘを確認することと、
ＸとデフォルトのＲＥ個数のしきい値を比較することと、
各Ｅ−ＣＣＥアグリゲーションレベルが提供できるＥ−ＰＤＣＣＨを伝送するＲＥ個数と前記ＲＥ個数のしきい値を比較した結果および前記端末のブラインド検出能力に基づき、前記端末が前記サブフレームにおいてＥ−ＰＤＣＣＨブラインド検出しなければならないことを確認することとに用いる。
【０１４７】
前記デフォルトのＲＥ個数のしきい値は、レガシーＰＤＣＣＨの領域におけるＣＣＥが占有するＲＥ個数である。
【０１４８】
好ましくは、前記第２プロセッサ７００は、具体的には、前記システム設定情報の前記サブフレームにおいて占有するリソースに基づき、ＰＲＢ  ｐａｉｒにおいてＥ−ＰＤＣＣＨを伝送できるＲＥ個数を確認することと、
ＰＲＢ  ｐａｉｒにおいて区分したＥ−ＣＣＥ個数に基づき、Ｅ−ＣＣＥに備えるＥ−ＰＤＣＣＨを伝送できるＲＥ個数の平均値を確認することと、
前記ＲＥ個数の平均値に基づき、Ｅ−ＣＣＥアグリゲーションレベルＭ’が提供できるＥ−ＰＤＣＣＨを伝送するＲＥ個数Ｘを確認することと、
ＸとレガシーＰＤＣＣＨの領域におけるＣＣＥが占有するＲＥ数３６を比較することと、
もし３６とＸの比デフォルトの第２しきい値より小さく、確認したＥ−ＣＣＥアグリゲーションレベル数が前記端末のブラインド検出能力を超えなければ、前記Ｅ−ＣＣＥアグリゲーションレベルＭ’をＥ−ＣＣＥアグリゲーションレベル集合に加えることとに用いる。
【０１４９】
好ましくは、前記第２プロセッサ７００は具体的に、基地局の通知に基づき、前記サブフレームにおけるＥ−ＰＤＣＣＨブラインド検出方式を確認時、具体的に基地局の通知に基づき、所定の時間周期内での各サブフレームにおけるＥ−ＰＤＣＣＨブラインド検出方式を確認する。
【０１５０】
好ましくは、前記第２プロセッサ７００は、具体的には、所定の規則に従い、前記所定の時間周期内でのサブフレームを２グループに分け、１グループをノーマル・サブフレームとし、一方のグループをダウンリンクパイロット・タイムスロットＤｗＰＴＳとすることと、
基地局の通知に基づき、各グループサブフレームにおけるＥ−ＰＤＣＣＨブラインド検出方式を確認することとに用いる。
【０１５１】
以上は本発明の実施形態の方法、装置（システム）およびコンピュータプログラム製品のフロー図および／またはブロック図により、本発明を記述した。理解すべきことは、コンピュータプログラム指令により、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、または他のプログラム可能なデータ処理装置設備の処理装置器に提供でき、コンピュータまたは他のプログラム可能なデータ処理装置のプロセッサは、これらのコンピュータプログラム指令を実行し、フロー図における一つまたは複数のフローおよび／またはブロック図における一つまたは複数のブロックに指定する機能を実現する。
【０１５２】
これらのコンピュータプログラム指令は又、コンピュータまたは他のプログラム可能なデータ処理装置を特定方式で動作させるコンピュータ読取記憶装置に記憶できる。これにより、指令を含む装置は当該コンピュータ読取記憶装置内の指令を実行でき、フロー図における一つまたは複数のフローおよび／またはブロック図における一つまたは複数のブロックに指定する機能を実現する。
【０１５３】
これらコンピュータプログラム指令はさらに、コンピュータまたは他のプログラム可能なデータ処理装置設備に実装もできる。コンピュータプログラム指令が実装されたコンピュータまたは他のプログラム可能設備は、一連の操作ステップを実行することにより、関連の処理を実現し、コンピュータまたは他のプログラム可能な設備において実行される指令により、フロー図における一つまたは複数のフローおよび／またはブロック図における一つまたは複数のブロックに指定する機能を実現する。
【０１５４】
上述した実施形態に記述された技術的な解決手段を改造し、またはその中の一部の技術要素を置換することもできる。そのような、改造と置換は本発明の各実施形態の技術の範囲から逸脱するとは見なされない。
【０１５５】
無論、当業者により、上述した実施形態に記述された技術的な解決手段を改造し、またはその中の一部の技術要素を置換することもできる。そのような、改造と置換は本発明の各実施形態の技術の範囲から逸脱するとは見なされない。そのような改造と置換は、すべて本発明の請求の範囲に属する。
【図１Ａ】
2015526974.tif 000005
【図１Ｂ】
2015526974.tif 000006
【図２】
2015526974.tif 000007
【図３】
2015526974.tif 000008
【図４】
2015526974.tif 000009
【図５】
2015526974.tif 000010
【図６Ａ】
2015526974.tif 000011
【図６Ｂ】
2015526974.tif 000012
【図７Ａ】
2015526974.tif 000013
【図７Ｂ】
2015526974.tif 000014
【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
基地局がシステム設定情報と端末のブラインド検出能力に基づき、端末のサブフレームにおける拡張物理ダウンリンク制御チャネル（Ｅ−ＰＤＣＣＨ）ブラインド検出方式を確認するステップと、
前記基地局が確認した端末の前記サブフレームにおけるＥ−ＰＤＣＣＨブラインド検出方式を前記端末へ通知するステップと、
を備えることを特徴とするブラインド検出方式の確認方法。
【請求項２】
基地局がシステム設定情報と端末のブラインド検出能力に基づき、端末のサブフレームにおけるＥ−ＰＤＣＣＨブラインド検出方式を確認することは、
前記基地局が前記システム設定情報と前記端末のブラインド検出能力に基づき、前記端末が前記サブフレームにおいてＥ−ＰＤＣＣＨブラインド検出しなければならない拡張制御チャネル要素（Ｅ−ＣＣＥ）アグリゲーションレベル集合を確認するステップと、
前記基地局が前記Ｅ−ＣＣＥアグリゲーションレベル集合において各Ｅ−ＣＣＥアグリゲーションレベルに対応するブラインド検出回数を確認することを特徴とする請求項１に記載のブラインド検出方式の確認方法。
【請求項３】
前記基地局が前記システム設定情報と前記端末のブラインド検出能力に基づき、前記端末が前記サブフレームにおいてＥ−ＰＤＣＣＨブラインド検出しなければならないＥ−ＣＣＥアグリゲーションレベル集合を確認することは、
前記基地局が、各Ｅ−ＣＣＥアグリゲーションレベルが提供できるＥ−ＰＤＣＣＨを伝送するリソース要素（ＲＥ）個数とデフォルトのＲＥ個数のしきい値を比較した結果および前記端末のブラインド検出能力に基づき、前記端末が前記サブフレームにおいてＥ−ＰＤＣＣＨブラインド検出しなければならないＥ−ＣＣＥアグリゲーションレベル集合を確認することを特徴とする請求項２に記載のブラインド検出方式の確認方法。
【請求項４】
前記基地局が各Ｅ−ＣＣＥアグリゲーションレベルが提供できるＥ−ＰＤＣＣＨを伝送するＲＥ個数とデフォルトのＲＥ個数のしきい値を比較した結果および前記端末のブラインド検出能力に基づき、前記端末が前記サブフレームにおいてＥ−ＰＤＣＣＨブラインド検出しなければならないＥ−ＣＣＥアグリゲーションレベル集合を確認することは、
前記基地局が、前記システム設定情報の前記サブフレームにおいて占有するリソースに基づき、物理リソースブロックペア（ＰＲＢ  ｐａｉｒ）においてＥ−ＰＤＣＣＨを伝送できるリソース要素（ＲＥ）個数を確認し、
前記基地局が、ＰＲＢ  ｐａｉｒにおいて区分したＥ−ＣＣＥ個数に基づき、Ｅ−ＣＣＥに備えるＥ−ＰＤＣＣＨを伝送できるＲＥ個数の平均値を確認し、
前記基地局が、前記ＲＥ個数の平均値に基づき、Ｅ−ＣＣＥアグリゲーションレベルＭ’が提供できるＥ−ＰＤＣＣＨを伝送するＲＥ個数Ｘを確認し、
前記基地局がＸとデフォルトのＲＥ個数のしきい値を比較し、
前記基地局が、各Ｅ−ＣＣＥアグリゲーションレベルが提供できるＥ−ＰＤＣＣＨを伝送するＲＥ個数と前記ＲＥ個数のしきい値を比較した結果および前記端末のブラインド検出能力に基づき、前記端末が前記サブフレームにおいてＥ−ＰＤＣＣＨブラインド検出しなければならないＥ−ＣＣＥアグリゲーションレベル集合を確認することを特徴とする請求項３に記載のブラインド検出方式の確認方法。
【請求項５】
前記基地局が確認した端末の前記サブフレームにおけるＥ−ＰＤＣＣＨブラインド検出方式を前記端末へ通知することは、
前記基地局が、前記端末の所定の時間周期内での各サブフレームにおけるＥ−ＰＤＣＣＨブラインド検出方式を前記端末へ通知することを特徴とする請求項１ないし請求項４のいずれかに記載のブラインド検出方式の確認方法。
【請求項６】
前記基地局が前記端末の所定の時間周期内での各サブフレームにおけるＥ−ＰＤＣＣＨブラインド検出方式を前記端末へ通知することは、
前記基地局が、所定の規則に従い前記所定の時間周期内でのサブフレームグループ分けを行い、前記端末の各グループサブフレームにおけるＥ−ＰＤＣＣＨブラインド検出方式が同じであり、
前記基地局が、前記端末の各グループサブフレームにおけるＥ−ＰＤＣＣＨブラインド検出方式を前記端末へ通知することを特徴とする請求項５に記載のブラインド検出方式の確認方法。
【請求項７】
前記基地局が所定の規則に従い前記所定の時間周期内でのサブフレームグループ分けを行うことは、
前記基地局が所定の規則に従い、前記所定の時間周期内でのサブフレームを２グループに分け、１グループをノーマル・サブフレームとし、一方のグループをダウンリンクパイロット・タイムスロットＤｗＰＴＳとすることを特徴とする請求項６に記載のブラインド検出方式の確認方法。
【請求項８】
端末がサブフレームにおけるシステム設定情報と前記端末のブラインド検出能力に基づき、Ｅ−ＰＤＣＣＨブラインド検出方式を確認するステップと、
前記端末が前記サブフレームにおいて確認したＥ−ＰＤＣＣＨブラインド検出方式に基づき、Ｅ−ＰＤＣＣＨブラインド検出を行うステップと、
を備えることを特徴とするブラインド検出方法。
【請求項９】
端末がサブフレームにおけるＥ−ＰＤＣＣＨブラインド検出方式を確認することは、
前記端末が、システム設定情報とブラインド検出能力に基づき、前記サブフレームにおけるＥ−ＰＤＣＣＨブラインド検出方式を確認するか、
または、
前記端末が、基地局の通知に基づき、前記サブフレームにおけるＥ−ＰＤＣＣＨブラインド検出方式を確認することを特徴とする請求項８に記載のブラインド検出方法。
【請求項１０】
前記端末がシステム設定情報とブラインド検出能力に基づき、前記サブフレームにおけるＥ−ＰＤＣＣＨブラインド検出方式を確認することは、
前記端末が、前記システム設定情報とブラインド検出能力に基づき、前記サブフレームにおいてＥ−ＰＤＣＣＨブラインド検出しなければならないＥ−ＣＣＥアグリゲーションレベル集合を確認し、
前記端末が、前記Ｅ−ＣＣＥアグリゲーションレベル集合において各Ｅ−ＣＣＥアグリゲーションレベルに対応するブラインド検出回数を確認することを特徴とする請求項９に記載のブラインド検出方法。
【請求項１１】
前記端末が前記システム設定情報とブラインド検出能力に基づき、前記サブフレームにおいてＥ−ＰＤＣＣＨブラインド検出しなければならないＥ−ＣＣＥアグリゲーションレベル集合を確認することは、
前記端末が、各Ｅ−ＣＣＥアグリゲーションレベルが提供できるＥ−ＰＤＣＣＨを伝送するリソース要素（ＲＥ）個数とデフォルトのＲＥ個数のしきい値を比較した結果および前記端末のブラインド検出能力に基づき、前記サブフレームにおいてＥ−ＰＤＣＣＨブラインド検出しなければならないＥ−ＣＣＥアグリゲーションレベル集合を確認することを特徴とする請求項１０に記載のブラインド検出方法。
【請求項１２】
前記端末が基地局の通知に基づき、前記サブフレームにおけるＥ−ＰＤＣＣＨブラインド検出方式を確認することは、
前記端末が、基地局の通知に基づき、所定の時間周期内での各サブフレームにおけるＥ−ＰＤＣＣＨブラインド検出方式を確認することを含むことを特徴とする請求項９ないし請求項１１のいずれか１項に記載のブラインド検出方法。
【請求項１３】
前記端末が基地局の通知に基づき、所定の時間周期内での各サブフレームにおけるＥ−ＰＤＣＣＨブラインド検出方式を確認することは、
前記端末の所定の規則に従い、前記所定の時間周期内でのサブフレームを２グループに分け、１グループをノーマル・サブフレームとし、一方のグループをダウンリンクパイロット・タイムスロットＤｗＰＴＳとし、
前記端末が、基地局の通知に基づき、各グループサブフレームにおけるＥ−ＰＤＣＣＨブラインド検出方式を確認することを特徴とする請求項１２に記載のブラインド検出方法。
【請求項１４】
請求項１乃至７のいずれか１項に記載の方法をコンピュータに実行させるためのコンピュータプログラムを備えることを特徴とする基地局。
【国際調査報告】
2015526974.tif 000015
2015526974.tif 000016
2015526974.tif 000017
2015526974.tif 000018